(57)【要約】【課題】演奏者の肩と弦楽器の裏板との間の距離の調整範囲を広く確保することが可能な肩当て装置を実現する。【解決手段】演奏者９０の肩９１に載せて使用される弦楽器Ｖに用いられる肩当て装置１００であって、肩９１に当接する当接面Ｆ１、及び、当接面Ｆ１とは反対側を向き弦楽器Ｖに対向する対向面Ｆ２を有する本体部１０と、弦楽器Ｖの第１側縁部Ｖ１に係止される第１係止部３０と、弦楽器Ｖの第２側縁部Ｖ２に係止される第２係止部５０と、第１係止部３０と本体部１０とを連結する第１連結部３１と、を備え、弦楽器Ｖと対向面Ｆ２とが対向する方向を対向方向Ｘとして、第１連結部３１は、対向面Ｆ２と第１係止部３０との対向方向Ｘの距離を調整する距離調整部Ｄを有し、距離調整部Ｄは、第１係止部３０が第１側縁部Ｖ１に係止された状態で、対向方向Ｘに沿う対向方向Ｘ視で弦楽器Ｖと重複しない位置に配置されている。【選択図】図２
2020067549.tif 000002
【特許請求の範囲】
【請求項１】
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記第１連結部は、前記対向面と前記第１係止部との前記対向方向の距離を調整する距離調整部を有し、
前記距離調整部は、前記第１係止部が前記第１側縁部に係止された状態で、前記対向方向に沿う対向方向視で前記弦楽器と重複しない位置に配置されている、肩当て装置。
【請求項２】
前記第２連結部は、前記対向面と前記第２係止部との前記対向方向の距離を一定に維持するように構成されている、請求項１に記載の肩当て装置。
【請求項３】
前記第１連結部は、前記本体部に連結された第１連結本体部と、前記第１係止部に連結された第１連結係止部と、を有し、
前記距離調整部は、前記第１連結本体部と前記第１連結係止部とを連結するように設けられていると共に、互いに螺合する雌雄一対のねじ部を有し、一対の前記ねじ部の相対回転によって前記第１連結本体部と前記第１連結係止部とを前記対向方向に相対移動させる、請求項１又は２に記載の肩当て装置。
【請求項４】
前記距離調整部によって前記対向方向における前記対向面と前記第１係止部との距離が最も短く調整された状態で、前記対向面と前記第１連結係止部とが、前記対向方向に接触する、請求項３に記載の肩当て装置。
【請求項５】
前記第１連結部及び前記第２連結部の少なくとも一方は、前記対向方向視における前記第１係止部と前記第２係止部との間隔を調整する間隔調整部を有する、請求項１から４のいずれか一項に記載の肩当て装置。
【請求項６】
前記第１係止部と前記第２係止部とのうちの対象とする方を対象係止部として、
前記間隔調整部は、前記本体部の前記対向面に形成されて前記本体部の延在方向に沿って延びる凹溝と、前記対象係止部に連結されると共に前記凹溝に収容されて当該凹溝に沿って摺動する摺動体と、前記本体部に対する前記摺動体の位置を固定するロック機構と、を備える、請求項５に記載の肩当て装置。
【請求項７】
前記ロック機構は、前記凹溝に隣接して配置されると共に前記凹溝に沿って並んで形成された複数の凹部と、前記摺動体に設けられて複数の前記凹部が設けられた側に向かって突出する形状に形成された突起部と、前記突起部を操作する操作部と、を有し、
前記突起部は、複数の前記凹部のいずれかの内部に突出して当該凹部に係合した突出状態と、前記凹部から抜け出る位置まで引退した引退状態とに、状態変更するように構成され、
前記操作部が操作されて前記突起部が前記突出状態となることで前記本体部に対する前記摺動体の位置が固定された固定状態となり、前記操作部が操作されて前記突起部が前記引退状態となることで前記本体部に対する前記摺動体の位置の固定が解除された固定解除状態となる、請求項６に記載の肩当て装置。
【請求項８】
前記本体部に設けられ、索状体が係止される索状体係止部を更に備える、請求項１から７のいずれか一項に記載の肩当て装置。
【請求項９】
前記当接面の全体が前記対向方向において前記肩側に凸となる湾曲面状に形成されている、請求項１から８のいずれか一項に記載の肩当て装置。
【請求項１０】
前記本体部は、前記対向方向視において前記肩から離れる側に凸となるアーチ状に形成されている、請求項１から９のいずれか一項に記載の肩当て装置。
【発明の詳細な説明】
【技術分野】
【０００１】
本発明は、弦楽器の裏板の外縁部に装着（係止）して演奏者の肩に載せて使用される弦楽器用の肩当て装置に関する。
【背景技術】
【０００２】
従来、例えば下記の特許文献１（特開２０１６−０９０９９７号公報）に開示されているように、演奏者の肩に載せられた状態で使用されるバイオリンやビオラ等の弦楽器を演奏する場合に、演奏者の肩に対する弦楽器の高さを演奏者の好みに合せて調整することができる肩当て装置が知られている。
【０００３】
このような従来の肩当て装置の使用状態の例を図１２に示す。図１２に示すように、肩当て装置（２００）は、演奏者（２９０）の肩（２９１）に当接する当接面（２１１）とバイオリン等の弦楽器（Ｖ）に対向する対向面（２１２）とを有する本体部（２１０）を備えている。そして、図１２では一方の端部（２２０）のみを示しているが、本体部（２１０）の両端部（２２０）には、弦楽器（Ｖ）に係止される係止部（２３０）が設けられている。係止部（２３０）は、当接面（２１１）から離れた位置において弦楽器（Ｖ）に係止され、これにより、弦楽器（Ｖ）を演奏者（２９０）の好みに合わせた位置で肩（２９１）に載せて支持することができる。また、肩当て装置（２００）は、弦楽器（Ｖ）と本体部（２１０）の対向面（２１２）とが対向する方向において、この対向面（２１２）と係止部（２３０）との距離を調整可能な距離調整機構（２４０）を備えており、係止部（２３０）は、この距離調整機構（２４０）を介して本体部（２１０）の端部（２２０）に連結されている。
【先行技術文献】
【特許文献】
【０００４】
【特許文献１】特開２０１６−０９０９９７号公報
【発明の概要】
【発明が解決しようとする課題】
【０００５】
ところで、演奏者の肩に対する弦楽器の高さ（演奏者の肩と弦楽器の裏板との間の距離）は、演奏者の好みに応じて調整できることが望ましい。しかしながら、上述した従来の肩当て装置では、本体部と係止部との間の距離を調整する距離調整機構が、これら係止部と本体部との間に設けられている。そのため、従来の肩当て装置では、その構造上、距離調整機構が係止部と本体部との間に存在している分、本体部と係止部との間の距離の調整可能な範囲が限られており、調整範囲の拡大に向けて改善の余地があった。
【０００６】
上記実状に鑑みて、演奏者の肩と弦楽器の裏板との間の距離の調整範囲を広く確保することが可能な肩当て装置の実現が望まれている。
【課題を解決するための手段】
【０００７】
本開示に係る肩当て装置は、
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記第１連結部は、前記対向面と前記第１係止部との前記対向方向の距離を調整する距離調整部を有し、
前記距離調整部は、前記第１係止部が前記第１側縁部に係止された状態で、前記対向方向に沿う対向方向視で前記弦楽器と重複しない位置に配置されている。
【０００８】
本構成によれば、距離調整部によって本体部の対向面と第１係止部との対向方向の距離を調整することができるため、演奏者の肩と弦楽器の裏板との間の距離を適切に調整することができる。そして、距離調整部は、第１係止部が弦楽器の第１側縁部に係止された状態で、対向方向視で弦楽器と重複しない位置に配置されているため、演奏者の肩と弦楽器の裏板との間に挟まれる位置に距離調整部が配置されることはない。そのため、本構成によれば、従来の構成のように演奏者の肩と弦楽器の裏板との間に挟まれる位置に距離調整部が配置されている場合に比べて、演奏者の肩と弦楽器の裏板との間の距離を小さくする側の調整範囲の制限を少なくすることができる。従って、演奏者の肩と弦楽器の裏板との間の距離の調整範囲を広く確保することが可能となっている。
【図面の簡単な説明】
【０００９】
【図１】肩当て装置の使用状態を示す図
【図２】演奏者側から見た肩当て装置の使用状態を示す図
【図３】対向方向視における弦楽器側からみた肩当て装置の使用状態を示す図
【図４】肩当て装置の第１斜視図
【図５】肩当て装置の第２斜視図
【図６】第１係止部の周辺の構造を示す一部断面図
【図７】第２係止部の周辺の構造を示す一部断面図
【図８】間隔調整部の動作を示す説明図
【図９】ロック機構の動作を示す説明図
【図１０】その他の実施形態に係る肩当て装置を示す図
【図１１】その他の実施形態に係る肩当て装置を示す図
【図１２】従来の肩当て装置を示す説明図
【発明を実施するための形態】
【００１０】
１．第１実施形態
第１実施形態に係る肩当て装置１００について、図面を参照して説明する。
【００１１】
〔肩当て装置の全体構成〕
図１及び図２に示すように、肩当て装置１００は、演奏者９０の肩９１（多くの場合、左肩）に載せて使用される弦楽器Ｖに装着（係止）して用いられる。ここで、肩当て装置１００が用いられる弦楽器Ｖは、演奏者９０の肩９１に載せられた状態で使用されるバイオリンやビオラ等の楽器である。肩当て装置１００は、演奏者９０の肩９１に対する弦楽器Ｖの高さ（演奏者９０の肩９１と弦楽器Ｖの裏板との間の距離）を演奏者９０の好みに合せて調整するために用いられる。
【００１２】
図２及び図３に示すように、肩当て装置１００は、演奏者９０の肩９１に当接する当接面Ｆ１、及び、当接面Ｆ１とは反対側を向き弦楽器Ｖに対向する対向面Ｆ２を有する本体部１０と、弦楽器Ｖの第１側縁部Ｖ１に係止される第１係止部３０と、弦楽器Ｖの第２側縁部Ｖ２に係止される第２係止部５０と、を備えている。弦楽器Ｖの第１側縁部Ｖ１及び第２側縁部Ｖ２は、表板、側板、及び裏板を含んで構成される弦楽器Ｖの本体における、外縁部に配置されている。そして、図２及び図３に示すように、第１側縁部Ｖ１と第２側縁部Ｖ２とは互いに反対側を向くと共に、第１側縁部Ｖ１は第２側縁部Ｖ２よりも演奏者９０の肩９１（図１参照）に近い側に位置している。但し、ここでの第１側縁部Ｖ１及び第２側縁部Ｖ２は、予め定められた特定の位置に限定されるものではない。第１側縁部Ｖ１は、弦楽器Ｖの本体の外縁部における第１係止部３０が係止される部分である。同様に、第２側縁部Ｖ２は、弦楽器Ｖの本体の外縁部における第２係止部５０が係止される部分である。
【００１３】
本明細書では、弦楽器Ｖと本体部１０の対向面Ｆ２とが対向する方向を「対向方向Ｘ」とし、本体部１０における第１本体部１１（後述する）が延在する方向を「第１延在方向Ｙ１」とし、本体部１０における第２本体部１２（後述する）が延在する方向を「第２延在方向Ｙ２」として、肩当て装置１００の構成について説明する。また、以下、肩当て装置１００を構成する各部の配置等を説明する場合には、本体部１０における中間本体部１３（後述する）を中心として「外側（中心から離れる側）」及び「内側（外側から中心に向かう側）」と定義するものとする。
【００１４】
図２及び図３に示すように、肩当て装置１００は、第１係止部３０と本体部１０とを連結する第１連結部３１と、第２係止部５０と本体部１０とを連結する第２連結部５１と、を備えている。これにより、本体部１０と第１係止部３０と第２係止部５０とが、一体的に構成される。そして、肩当て装置１００の使用状態では、図２に示すように、第１係止部３０が第１側縁部Ｖ１に係止されると共に第２係止部５０が第２側縁部Ｖ２に係止された状態で、本体部１０における当接面Ｆ１が演奏者９０の肩９１に当接した状態となる。以下、肩当て装置１００の各部の構成について説明する。なお、以下の説明では、特に断らない限り、肩当て装置１００の使用状態、すなわち、肩当て装置１００を対向方向Ｘに挟んで弦楽器Ｖと演奏者９０の肩９１とが配置された状態を基準として、肩当て装置１００の各部の構成について説明する。従って、以下の説明に伴って参照する図面に、弦楽器Ｖ及び演奏者９０の肩９１（或いは首９２）が示されていない場合であっても、これら弦楽器Ｖ及び演奏者９０の肩９１が存在するものとして、両者の配置を基準に肩当て装置１００の各部の構成を説明する場合がある。
【００１５】
〔本体部〕
本体部１０は、演奏者９０の肩９１に当接する当接面Ｆ１と、弦楽器Ｖに対向する対向面Ｆ２と、を有する板状部材により構成されている。図９に示すように、本実施形態では、本体部１０は、その内部に空洞部を有しており、当接面Ｆ１が形成されると共に当該空洞部を対向方向Ｘにおける肩９１（演奏者９０）の側から覆う当接側外枠部１０ａと、対向面Ｆ２が形成されると共に当該空洞部を対向方向Ｘにおける弦楽器Ｖの側から覆う対向側外枠部１０ｂと、を有している。図１及び図３に示すように、本体部１０は、対向方向Ｘに沿う方向視である対向方向Ｘ視において肩９１から離れる側に凸となるアーチ状に形成されている。そして、図２に示すように、当接面Ｆ１の全体が対向方向Ｘにおいて肩９１の側に凸となる湾曲面状に形成されている。これにより、肩９１に対して当接面Ｆ１の一部を当接させることができる。従って、例えば、当接面Ｆ１の全体が対向方向Ｘ視において肩９１の側に凹となる湾曲面状に形成されることにより、当接面Ｆ１の全体が肩９１から上胸にかけて当接するように構成されている場合に比べて、肩当て装置１００に支持された弦楽器Ｖを、肩当て装置１００を装着しない状態で弦楽器Ｖを弾くのと同じように、左手によって行う肩９１に対する弦楽器Ｖの微妙な角度操作を容易に行うことができ、演奏者９０による弦楽器Ｖの操作性を向上させることが可能となっている。但し、上記のような構成に限定されることなく、本体部１０は、対向方向Ｘ視において直線状に形成されていてもよい。また、当接面Ｆ１の全体が平面状に形成され、或いは、対向方向Ｘにおいて弦楽器Ｖの側に凸となる湾曲面状に形成されていてもよい。
【００１６】
図３〜図５に示すように、本実施形態では、本体部１０は、第１係止部３０が配置される側の部分である第１本体部１１と、第２係止部５０が配置される側の部分である第２本体部１２と、第１本体部１１と第２本体部１２との間の部分である中間本体部１３と、を有して構成されている。
【００１７】
第１本体部１１と第２本体部１２とは、中間本体部１３によって連結されている。第１本体部１１は、中間本体部１３から第１係止部３０が配置される側に向かって延在しており、第２本体部１２は、中間本体部１３から第２係止部５０が配置される側に向かって延在している。上述のように、第１本体部１１が延在する方向が第１延在方向Ｙ１であり、第２本体部１２が延在する方向が第２延在方向Ｙ２である。そして、図３に示すように、第１延在方向Ｙ１と第２延在方向Ｙ２とは、対向方向Ｘ視において斜めに交差するように設定されており、第１延在方向Ｙ１に沿う第１本体部１１と、第２延在方向Ｙ２に沿う第２本体部１２と、これら第１本体部１１と第２本体部１２との間に形成された中間本体部１３とによって、上述のように、本体部１０の全体が対向方向Ｘ視でアーチ状を成している。
【００１８】
〔第１係止部〕
第１係止部３０は、弦楽器Ｖの第１側縁部Ｖ１に係止されて、弦楽器Ｖを支持する。第１係止部３０は、第１側縁部Ｖ１を外側から把持する第１係止爪３３ｄを有している。図６に示すように、第１係止爪３３ｄは、対向方向Ｘに沿う第１軸心ＡＸ１まわりに旋回可能に構成されている。また、第１係止爪３３ｄは、弦楽器Ｖの第１側縁部Ｖ１に係止された状態で、当該第１側縁部Ｖ１の形状に適合する形状とされている。これにより、第１係止爪３３ｄは、弦楽器Ｖの本体の外縁部の形状に合わせて、第１側縁部Ｖ１に係止されることが可能となっている。なお、第１係止部３０は１つ又は複数の第１係止爪３３ｄを備える。図３〜図５等に示すように、本例では、第１係止部３０は一対の第１係止爪３３ｄを備えている。
【００１９】
〔第１連結部〕
第１連結部３１は、第１係止部３０と本体部１０とを連結する。図６に示すように、本実施形態では、第１連結部３１は、第１本体部１１（本体部１０）に連結された第１連結本体部３２と、第１係止部３０に連結された第１連結係止部３３と、を有している。
【００２０】
第１連結本体部３２は、第１係止部３０が第１側縁部Ｖ１に係止された状態（図２参照）で、当該第１係止部３０よりも外側に配置された本体側固定部３２ｂと、本体側固定部３２ｂから第１軸心ＡＸ１に沿って延びる本体側軸部３２ａと、を有している。これにより、第１係止部３０が第１側縁部Ｖ１に係止された状態（図２参照）で、当該第１係止部３０は、本体側軸部３２ａ（第１軸心ＡＸ１）よりも内側に配置され、この第１係止部３０によって支持される第１側縁部Ｖ１（弦楽器Ｖ）についても、本体側軸部３２ａ（第１軸心ＡＸ１）よりも内側に配置される。
【００２１】
本体側固定部３２ｂは、第１本体部１１（本体部１０）から外側に突出している。本体側軸部３２ａは、本体側固定部３２ｂに固定されている。本体側軸部３２ａは、第１軸心ＡＸ１に沿って配置されると共に、本体側固定部３２ｂから対向方向Ｘにおける弦楽器Ｖの側（肩９１とは反対側）に向かって延びている。本実施形態では、本体側軸部３２ａは、雄ねじ部３２ｃを有している。具体的には図６に示すように、本体側軸部３２ａは、ボルトにより構成されており、ボルトの頭部が本体側固定部３２ｂに固定され、雄ねじ部３２ｃを有するボルトの軸部が本体側固定部３２ｂから対向方向Ｘにおける弦楽器Ｖの側に向かって突出している。但し、上記の構成に限定されることなく、すなわち、本体側軸部３２ａは、本体側固定部３２ｂに固定されていなくてもよく、本体側固定部３２ｂに対して回転可能に支持されていてもよい。
【００２２】
図６に示すように、第１連結係止部３３は、第１軸心ＡＸ１に沿って配置される筒状に形成された係止側筒部３３ａと、当該係止側筒部３３ａに連結され、第１軸心ＡＸ１を基準とする径方向に沿って延びる板状に形成された第１係止側板部３３ｂと、第１係止側板部３３ｂに連結された第１係止爪３３ｄと、を有している。
【００２３】
第１係止側板部３３ｂは、対向方向Ｘにおける弦楽器Ｖの側を向く第１載置面３３Ｆと、対向方向Ｘにおいて第１載置面３３Ｆとは反対側を向く第１裏面３３ＲＦと、を有している。第１載置面３３Ｆは、弦楽器Ｖの第１側縁部Ｖ１を支持する。このとき、弦楽器Ｖの第１側縁部Ｖ１は、第１載置面３３Ｆに載置された状態となる。第１裏面３３ＲＦは、対向方向Ｘ視において第１本体部１１（本体部１０）と重複した状態で、対向方向Ｘにおいて第１本体部１１（本体部１０）に対向するように配置されている。なお本例では、距離調整部Ｄによって対向方向Ｘにおける対向面Ｆ２と第１係止部３０との距離を最も短く調整した状態でも、第１裏面３３ＲＦと第１本体部１１（本体部１０）とは接触しないように構成されている。
【００２４】
第１係止爪３３ｄは、第１係止側板部３３ｂにおける第１載置面３３Ｆに連結されている。本例では、第１係止爪３３ｄは、第１載置面３３Ｆから対向方向Ｘにおける弦楽器Ｖの側に突出していると共に、当該突出方向の先端部分が、第１側縁部Ｖ１に係止された姿勢で第１延在方向Ｙ１における弦楽器Ｖの側に突出するように形成されている。そして、第１係止爪３３ｄと第１載置面３３Ｆとによって、弦楽器Ｖの第１側縁部Ｖ１を、対向方向Ｘの両側及び外側から挟み込むようにして支持している。本実施形態では、弦楽器Ｖの第１側縁部Ｖ１を支持する第１係止爪３３ｄと第１載置面３３Ｆとを含んで、第１係止部３０が構成されている。
【００２５】
係止側筒部３３ａは、上述の本体側軸部３２ａに連結されている。図示の例では、係止側筒部３３ａは、本体側軸部３２ａに対して、第１軸心ＡＸ１を基準とする径方向の内側から支持されている。本実施形態では、係止側筒部３３ａは、筒状の内周面に、雌ねじ部３３ｃを有している。そして、係止側筒部３３ａの雌ねじ部３３ｃと本体側軸部３２ａの雄ねじ部３２ｃとが、互いに螺合している。
【００２６】
〔距離調整部〕
第１連結部３１は、対向面Ｆ２と第１係止部３０との対向方向Ｘの距離を調整する距離調整部Ｄを有している。本実施形態では、距離調整部Ｄは、弦楽器Ｖの第１側縁部Ｖ１が載置される第１載置面３３Ｆと、対向面Ｆ２との距離を調整する。
【００２７】
距離調整部Ｄは、第１連結本体部３２と第１連結係止部３３とを相対移動させる。本実施形態では、距離調整部Ｄは、第１連結本体部３２と第１連結係止部３３とを連結するように設けられていると共に、互いに螺合する雌雄一対のねじ部Ｄａ，Ｄｂを有し、一対のねじ部Ｄａ，Ｄｂの相対回転によって第１連結本体部３２と第１連結係止部３３とを対向方向Ｘに相対移動させる。本例では、雌雄一対のねじ部Ｄａ，Ｄｂは、第１連結本体部３２に設けられた雄ねじ部３２ｃ（Ｄａ）と、第１連結係止部３３に設けられた雌ねじ部３３ｃ（Ｄｂ）と、を含んで構成されている。但し、上記のような構成に限定されることなく、雌ねじ部Ｄｂが第１連結本体部３２に設けられ、雄ねじ部Ｄａが第１連結係止部３３に設けられていてもよい。この場合、雌ねじ部Ｄｂを有する第１連結本体部３２が筒状部を有して構成され、雄ねじ部Ｄａを有する第１連結係止部３３が上記筒状部に挿入される軸部を有して構成されているとよい。
【００２８】
図２及び図３に示すように、距離調整部Ｄは、第１係止部３０が第１側縁部Ｖ１に係止された状態で、対向方向Ｘ視で弦楽器Ｖと重複しない位置に配置されている。本実施形態では、距離調整部Ｄは、第１軸心ＡＸ１に対応して設けられており、上述のように、第１軸心ＡＸ１（本体側軸部３２ａ）は、第１係止部３０が第１側縁部Ｖ１に係止された状態で、当該第１側縁部Ｖ１よりも外側に配置されている。従って、第１軸心ＡＸ１に対応して設けられる距離調整部Ｄは、第１係止部３０が第１側縁部Ｖ１に係止された状態で、当該第１側縁部Ｖ１よりも外側に配置されている。このような構成により、対向方向Ｘにおいて、弦楽器Ｖと対向面Ｆ２（本体部１０）との間に距離調整部Ｄが配置されないようにすることができ、その分、これら弦楽器Ｖと対向面Ｆ２との距離を小さくする際の調整範囲の制限を少なくできている。
【００２９】
〔第２係止部〕
第２係止部５０は、弦楽器Ｖの第２側縁部Ｖ２に係止されて、弦楽器Ｖを支持する。第２係止部５０は、第２側縁部Ｖ２を外側から把持する第２係止爪５３ｃを有している。図７に示すように、第２係止爪５３ｃは、対向方向Ｘに沿う第２軸心ＡＸ２まわりに旋回可能に構成されている。また、第２係止爪５３ｃは、弦楽器Ｖの第２側縁部Ｖ２に係止された状態で、当該第２側縁部Ｖ２の形状に適合する形状とされている。これにより、第２係止爪５３ｃは、弦楽器Ｖの本体の外縁の形状に合わせて、第２側縁部Ｖ２に係止されることが可能となっている。なお、第２係止部５０は１つ又は複数の第２係止爪５３ｃを備える。図３〜図５等に示すように、本例では、第２係止部５０は一対の第２係止爪５３ｃを備えている。
【００３０】
〔第２連結部〕
第２連結部５１は、第２係止部５０と本体部１０とを連結する。本実施形態では、第２連結部５１は、第２本体部１２（本体部１０）に連結された第２連結本体部５２と、第２係止部５０に連結された第２連結係止部５３と、を有している。本実施形態では、第２連結本体部５２と第２連結係止部５３とは、第２軸心ＡＸ２まわりに相対回転するように構成されている。図示の例では、第２連結係止部５３が、第２連結本体部５２に対して第２軸心ＡＸ２まわりに回転可能に支持されている。
【００３１】
本実施形態では、第２連結部５１は、対向面Ｆ２と第２係止部５０との対向方向Ｘの距離を一定に維持するように構成されている。本例では、本体部１０（第２本体部１２）に連結された第２連結本体部５２と、第２係止部５０に連結された第２連結係止部５３との、対向方向Ｘにおける相対移動が抑止されている。これにより、本体部１０と第２係止部５０との対向方向Ｘの距離が一定に維持され、ひいては、対向面Ｆ２と第２係止部５０との対向方向Ｘの距離が一定に維持される。つまり、本例では、第２連結部５１は、第１連結部３１が備える距離調整部Ｄのような、対向面Ｆ２と第２係止部５０との対向方向Ｘの距離を調整する機構を備えていない。これにより、演奏者９０の肩９１の上に載る側の対面側において、演奏者９０の上胸の上に載らず、胸を不必要に圧迫することが避けられ、同時に、第２連結部５１の構成の簡略化を図ることが可能となっている。
【００３２】
図７に示すように、第２連結本体部５２は、第２軸心ＡＸ２に沿って配置される筒状に形成された本体側筒部５２ａを有している。図示の例では、本体側筒部５２ａは、第２本体部１２（本体部１０）から外側に突出している。
【００３３】
本実施形態では、第２連結本体部５２は、本体側筒部５２ａの筒状の内周面に形成されて第２軸心ＡＸ２を基準とする径方向に広がる本体側段差部５２ｂを更に有している。本体側段差部５２ｂによって、本体側筒部５２ａの内径が、対向方向Ｘにおいて変化している。本例では、本体側筒部５２ａの内径のうち、本体側段差部５２ｂを境界とする対向方向Ｘにおける第２係止部５０側の内径が、本体側段差部５２ｂを境界とする対向方向Ｘにおける第２係止部５０側とは反対側の内径よりも小さくなっている。換言すれば、本体側筒部５２ａの筒状の内周面には、大径部５２ｃと、この大径部５２ｃよりも対向方向Ｘにおける第２係止部５０側に配置されて当該大径部５２ｃよりも内径が小さい小径部５２ｄと、が形成されている。大径部５２ｃと小径部５２ｄとの間に、本体側段差部５２ｂが形成されている。
【００３４】
図７に示すように、第２連結係止部５３は、第２軸心ＡＸ２を基準とする径方向に沿って延びる板状に形成された第２係止側板部５３ｂと、当該第２係止側板部５３ｂから本体側筒部５２ａの内周部に向かって突出する係止側突起部５３ａと、第２係止側板部５３ｂに連結された第２係止爪５３ｃと、を有している。
【００３５】
第２係止側板部５３ｂは、対向方向Ｘにおける弦楽器Ｖの側を向く第２載置面５３Ｆと、対向方向Ｘにおいて第２載置面５３Ｆとは反対側を向く第２裏面５３ＲＦと、を有している。第２載置面５３Ｆは、弦楽器Ｖの第２側縁部Ｖ２を支持する。このとき、弦楽器Ｖの第２側縁部Ｖ２は、第２載置面５３Ｆに載置された状態となる。
【００３６】
第２係止爪５３ｃは、第２係止側板部５３ｂにおける第２載置面５３Ｆに連結されている。本例では、第２係止爪５３ｃは、第２載置面５３Ｆから対向方向Ｘにおける弦楽器Ｖの側に突出していると共に、当該突出方向の先端部分が、第２側縁部Ｖ２に係止された姿勢で第２延在方向Ｙ２における弦楽器Ｖの側に突出するように形成されている。そして、第２係止爪５３ｃと第２載置面５３Ｆとによって、弦楽器Ｖの第２側縁部Ｖ２を、対向方向Ｘの両側及び外側から挟み込むようにして支持している。本実施形態では、弦楽器Ｖの第２側縁部Ｖ２を支持する第２係止爪５３ｃと第２載置面５３Ｆとを含んで、第２係止部５０が構成されている。
【００３７】
係止側突起部５３ａは、第２係止側板部５３ｂにおける第２裏面５３ＲＦに連結されている。本例では、係止側突起部５３ａは、第２裏面５３ＲＦから対向方向Ｘにおける第２係止爪５３ｃの側とは反対側に突出している。図７に示すように、係止側突起部５３ａの先端（突出端）には、上述の本体側段差部５２ｂに引っ掛かるフック部５３ｄが形成されている。フック部５３ｄは、対向方向Ｘにおける第２係止爪５３ｃ側を向く第１段差面５３ｅを有している。この第１段差面５３ｅは、本体側段差部５２ｂに対向するように配置される。そして、第１段差面５３ｅと、第２裏面５３ＲＦに形成された対向方向Ｘにおけるフック部５３ｄ側を向く第２段差面５３ｆとによって、本体側筒部５２ａの小径部５２ｄが対向方向Ｘに挟まれた状態となっている。これにより、第２連結本体部５２と第２連結係止部５３との対向方向Ｘにおける相対移動が抑止されている。本実施形態では、係止側突起部５３ａは、第２軸心ＡＸ２に沿うスリットが形成された二股構造となっており、また、フック部５３ｄは、先端側に向かって先細りとなるテーパ面５３ｇを有している。これにより、第２連結本体部５２に対して第２連結係止部５３を取り付ける際に、本体側筒部５２ａの内周部への係止側突起部５３ａの挿入を行い易くできる。すなわち、挿入の際には、テーパ状のフック部５３ｄが、係止側突起部５３ａを本体側筒部５２ａの内周部へ案内し、挿入中には、二股構造である係止側突起部５３ａ及びその先端のフック部５３ｄが、本体側筒部５２ａの内周面に径方向（第２軸心ＡＸ２を基準とする径方向）の外側から押圧されて縮径する（径方向に小さくなる）。そして、フック部５３ｄが本体側筒部５２ａの大径部５２ｃに到達すると、本体側筒部５２ａの内周面による押圧が解除されて、当該フック部５３ｄは、元の径に戻ると共に第１段差面５３ｅが本体側段差部５２ｂに対向する状態となる。これにより、係止側突起部５３ａの抜け止めがなされた状態で、第２連結係止部５３が第２連結本体部５２に取り付けられる。
【００３８】
図７に示すように、本実施形態では、第１段差面５３ｅと第２段差面５３ｆとの対向する距離が、小径部５２ｄの対向方向Ｘの長さに対してわずかに長く設定され、第２連結係止部５３と第２連結本体部５２との間には、対向方向Ｘに遊び（隙間）がある状態で連結されている。これにより、第２連結係止部５３が、第２連結本体部５２に対して第２軸心ＡＸ２まわりに相対回転し易い構成となっている。但し、このような構成に限定されることなく、第１段差面５３ｅと第２段差面５３ｆとの対向する距離が、小径部５２ｄの対向方向Ｘの長さと一致するように形成されていてもよい。この場合でも、第２連結係止部５３が、第２連結本体部５２に対して第２軸心ＡＸ２まわりに相対回転可能であればよい。
【００３９】
〔間隔調整部〕
図３〜図５に示すように、本実施形態では、第１連結部３１及び第２連結部５１の少なくとも一方は、対向方向Ｘ視における第１係止部３０と第２係止部５０との間隔を調整する間隔調整部Ｓを有している。これにより、弦楽器Ｖの形状や幅、さらに、演奏者９０の肩９１に当接する位置を演奏者９０の好みに合せて、第１係止部３０と第２係止部５０とを、弦楽器Ｖを支持するための適切な位置に配置することができるようになっている。また本実施形態では、第１係止部３０と第２係止部５０とのうちの対象とする方を対象係止部４０として、間隔調整部Ｓは、本体部１０の対向面Ｆ２に形成されて本体部１０の延在方向に沿って延びる凹溝Ｓａと、対象係止部４０に連結されると共に凹溝Ｓａに収容されて当該凹溝Ｓａに沿って摺動する摺動体Ｓｂと、本体部１０に対する摺動体Ｓｂの位置を固定するロック機構Ｌと、を備えている。
【００４０】
本例では、第１係止部３０と第２係止部５０との双方が対象係止部４０であり、第１連結部３１及び第２連結部５１の双方が、間隔調整部Ｓを有している。具体的には、第１連結部３１が第１間隔調整部Ｓ１を有すると共に、第２連結部５１が第２間隔調整部Ｓ２を有している。そして、第１間隔調整部Ｓ１は、第１係止部３０（対象係止部４０）を第１延在方向Ｙ１に沿って移動させることにより、第１係止部３０と第２係止部５０との間隔を調整し、第２間隔調整部Ｓ２は、第２係止部５０（対象係止部４０）を第２延在方向Ｙ２に沿って移動させることにより、第１係止部３０と第２係止部５０との間隔を調整する。
【００４１】
図８に示すように、本実施形態では、第１間隔調整部Ｓ１は、第１本体部１１（本体部１０）の対向面Ｆ２に形成されて第１延在方向Ｙ１に沿って延びる第１凹溝Ｓａ１と、第１係止部３０（対象係止部４０）に連結されると共に第１凹溝Ｓａ１に収容されて当該第１凹溝Ｓａ１に沿って摺動する第１摺動体Ｓｂ１と、第１本体部１１（本体部１０）に対する第１摺動体Ｓｂ１の位置を固定する第１ロック機構Ｌ１と、を備えている。そして、第２間隔調整部Ｓ２は、第２本体部１２（本体部１０）の対向面Ｆ２に形成されて第２延在方向Ｙ２に沿って延びる第２凹溝Ｓａ２と、第２係止部５０（対象係止部４０）に連結されると共に第２凹溝Ｓａ２に収容されて当該第２凹溝Ｓａ２に沿って摺動する第２摺動体Ｓｂ２と、第２本体部１２（本体部１０）に対する第２摺動体Ｓｂ２の位置を固定する第２ロック機構Ｌ２と、を備えている。上記のように、第１間隔調整部Ｓ１と第２間隔調整部Ｓ２とは、移動させる対象と、その対象を移動させる方向とが異なるが、基本的な構成は同じである。以下では、第１間隔調整部Ｓ１について詳細に説明し、第２間隔調整部Ｓ２における第１間隔調整部Ｓ１と同様の構成については説明を省略する。
【００４２】
第１凹溝Ｓａ１は、対向面Ｆ２から当接面Ｆ１の側に向かって凹むと共に第１延在方向Ｙ１に沿って連続的に形成され（図４参照）、第１本体部１１における第１延在方向Ｙ１の外側（中間本体部１３とは反対側）の縁部まで延びて当該縁部に開口している（図８参照）。本実施形態では、第１本体部１１（本体部１０）は、その内部に空洞部を有しており、第１凹溝Ｓａ１は、第１本体部１１の内部の空洞部と一体的に形成されている。図８に示すように、弦楽器Ｖの側からの対向方向Ｘ視では、第１本体部１１の内部の空洞部は、当該第１本体部１１の対向側外枠部１０ｂによって覆われており、第１本体部１１の内部の空洞部と一体である第１凹溝Ｓａ１は、対向側外枠部１０ｂによって覆われていない。なお、図６及び図９等に示すように、第１本体部１１の内部の空洞部は、第１本体部１１における第１延在方向Ｙ１の外側（中間本体部１３とは反対側）の縁部まで延びて当該縁部に開口しており、第１本体部１１の外部と連通している。
【００４３】
第１摺動体Ｓｂ１は、第１本体部１１の内部の空洞部及び第１凹溝Ｓａ１の形状に対応した形状の部材である。本実施形態では、第１摺動体Ｓｂ１は、第１本体部１１における第１延在方向Ｙ１の外側（中間本体部１３とは反対側）の縁部から第１本体部１１の内部の空洞部に挿入され、第１延在方向Ｙ１に沿って延在するように配置された状態で、第１本体部１１に取り付けられる。図８及び図９に示すように、第１摺動体Ｓｂ１は、第１本体部１１の内部の空洞部に配置される部分と、第１本体部１１から第１延在方向Ｙ１の外側に突出する部分とを有する。第１摺動体Ｓｂ１は、第１本体部１１から第１延在方向Ｙ１の外側に突出する部分において、第１係止部３０（対象係止部４０）に連結されている。
【００４４】
図８及び図９に示すように、本実施形態では、第１摺動体Ｓｂ１（摺動体Ｓｂ，第２摺動体Ｓｂ２）は、対向方向Ｘにおける弦楽器Ｖの側を向く第１摺動面ＳＦ１（摺動面ＳＦ，第２摺動面ＳＦ２）を有している。第１摺動面ＳＦ１は、第１摺動体Ｓｂ１が第１本体部１１の内部の空洞部に配置された状態で、当該空洞部に配置されて、対向面Ｆ２よりも対向方向Ｘにおける当接面Ｆ１の側に配置される。
【００４５】
図４及び図８等に示すように、本実施形態では、第１摺動体Ｓｂ１（摺動体Ｓｂ，第２摺動体Ｓｂ２）は、第１摺動面ＳＦ１（摺動面ＳＦ，第２摺動面ＳＦ２）から対向方向Ｘにおける弦楽器Ｖの側に向かって突出する第１案内部Ｓｃ１（案内部Ｓｃ，第２案内部Ｓｃ２）を有している。第１案内部Ｓｃ１は、第１凹溝Ｓａ１の形状に対応した形状に形成され、第１凹溝Ｓａ１に沿って第１延在方向Ｙ１に延在するように配置されている。これにより、第１摺動体Ｓｂ１を第１凹溝Ｓａ１に沿って摺動させることが可能となっている。本実施形態では、第１摺動面ＳＦ１が第１本体部１１の内部の空洞に配置された状態で、当該第１摺動面ＳＦ１から突出する第１案内部Ｓｃ１が、対向面Ｆ２よりも対向方向Ｘにおける弦楽器Ｖの側には突出しないようになっている。換言すれば、第１案内部Ｓｃ１の突出端が、対向面Ｆ２よりも当接面Ｆ１の側に配置されるようになっている。これにより、対向面Ｆ２と弦楽器Ｖとを対向方向Ｘにおいて近づけるように両者の距離を調整する際に、第１案内部Ｓｃ１がその調整の妨げとならないようにすることができる。
【００４６】
〔ロック機構〕
ロック機構Ｌは、本体部１０に対する摺動体Ｓｂの位置を固定する。本実施形態では、ロック機構Ｌは、凹溝Ｓａに隣接して配置されると共に凹溝Ｓａに沿って並んで形成された複数の凹部Ｌａと、摺動体Ｓｂに設けられて複数の凹部Ｌａが設けられた側に向かって突出する形状に形成された突起部Ｌｂと、突起部Ｌｂを操作する操作部Ｌｃと、を有している。上述のように、本実施形態では、第１間隔調整部Ｓ１に第１ロック機構Ｌ１が備えられ、第２間隔調整部Ｓ２に第２ロック機構Ｌ２が備えられている。第１ロック機構Ｌ１は、第１本体部１１に対する第１摺動体Ｓｂ１の位置を固定し、第２ロック機構Ｌ２は、第２本体部１２に対する第２摺動体Ｓｂ２の位置を固定する。
【００４７】
図８に示すように、本実施形態では、第１ロック機構Ｌ１は、第１凹溝Ｓａ１に隣接して配置されると共に第１凹溝Ｓａ１に沿って並んで形成された複数の第１凹部Ｌａ１と、第１摺動体Ｓｂ１に設けられて複数の第１凹部Ｌａ１が設けられた側に向かって突出する形状に形成された第１突起部Ｌｂ１と、第１突起部Ｌｂ１を操作する第１操作部Ｌｃ１と、を有している。そして、第２ロック機構Ｌ２は、第２凹溝Ｓａ２に隣接して配置されると共に第２凹溝Ｓａ２に沿って並んで形成された複数の第２凹部Ｌａ２と、第２摺動体Ｓｂ２に設けられて複数の第２凹部Ｌａ２が設けられた側に向かって突出する形状に形成された第２突起部Ｌｂ２と、第２突起部Ｌｂ２を操作する第２操作部Ｌｃ２と、を有している。上記のように、第１ロック機構Ｌ１と第２ロック機構Ｌ２とは、固定する対象が異なるが、基本的な構成は同じである。以下では、第１ロック機構Ｌ１について詳細に説明し、第２ロック機構Ｌ２における第１ロック機構Ｌ１と同様の構成については説明を省略する。
【００４８】
図９に示すように、第１凹部Ｌａ１は、第１本体部１１の対向側外枠部１０ｂに設けられている。第１凹部Ｌａ１は、第１突起部Ｌｂ１が突出する方向に凹む形状に形成されている。これにより、第１凹部Ｌａ１に対して第１突起部Ｌｂ１が係合可能となっている。本実施形態では、第１凹部Ｌａ１は、対向側外枠部１０ｂを対向方向Ｘに貫通するように形成されている。これにより、複数の第１凹部Ｌａ１のうちいずれに第１突起部Ｌｂ１が係合しているかについて、対向方向Ｘ視における弦楽器Ｖの側から視認可能となっている（図８等参照）。
【００４９】
図８に示すように、本実施形態では、複数の第１凹部Ｌａ１が、第１延在方向Ｙ１に沿って等間隔に並んで配置されている。図示の例では、６つの第１凹部Ｌａ１が並んで配置されている。第１突起部Ｌｂ１は、６つの第１凹部Ｌａ１のうちいずれかの第１凹部Ｌａ１に対して係合可能に構成されている。これにより、第１ロック機構Ｌ１は、６段階に亘って、本体部１０に対する第１摺動体Ｓｂ１の位置、ひいては、本体部１０に対する第１係止部３０（対象係止部４０）の位置を固定することができる。更に、図示の例では、第２ロック機構Ｌ２が有する第２凹部Ｌａ２については、９つの第２凹部Ｌａ２が、第２延在方向Ｙ２に並んで配置されている。これにより、第２ロック機構Ｌ２は、９段階に亘って、本体部１０に対する第２摺動体Ｓｂ２の位置、ひいては、本体部１０に対する第２係止部５０（対象係止部４０）の位置を固定することができる。従って、本実施形態では、第１ロック機構Ｌ１と第２ロック機構Ｌ２とによって、第１係止部３０と第２係止部５０との間における本体部１０の位置を、合計で５４段階（６段階×９段階）に亘って調節することが可能となっている。
【００５０】
第１突起部Ｌｂ１は、上述のように、第１摺動体Ｓｂ１に設けられており、本実施形態では、第１摺動体Ｓｂ１に１つの第１突起部Ｌｂ１が設けられている。第１突起部Ｌｂ１は、第１凹部Ｌａ１が凹む方向に突出するように形成されている。上述のように、本実施形態では、第１凹部Ｌａ１が対向側外枠部１０ｂを対向方向Ｘに貫通するように形成されているため、第１突起部Ｌｂ１は、第１摺動面ＳＦ１から対向方向Ｘにおける弦楽器Ｖの側に突出するように設けられている。そして、図９に示すように、第１突起部Ｌｂ１は、対向面Ｆ２よりも対向方向Ｘにおける弦楽器Ｖの側には突出しないように構成されている。換言すれば、第１突起部Ｌｂ１の突出端が、対向面Ｆ２よりも当接面Ｆ１の側に配置されるようになっている。これにより、対向面Ｆ２と弦楽器Ｖとを対向方向Ｘにおいて近づけるように両者の距離を調整する際に、第１突起部Ｌｂ１がその調整の妨げとならないようにすることができる。
【００５１】
第１操作部Ｌｃ１は、第１摺動体Ｓｂ１に設けられている。本実施形態では、第１操作部Ｌｃ１は、第１摺動体Ｓｂ１における第１凹溝Ｓａ１によって露出する部分に設けられている。換言すれば、第１操作部Ｌｃ１は、第１凹溝Ｓａ１の内部に配置されるように、第１摺動体Ｓｂ１に設けられている。そして、第１操作部Ｌｃ１は、第１摺動面ＳＦ１から対向方向Ｘにおける弦楽器Ｖの側に突出するように設けられている。本例では、第１操作部Ｌｃ１は、対向面Ｆ２よりも対向方向Ｘにおける弦楽器Ｖの側には突出しないように構成されている。換言すれば、第１操作部Ｌｃ１の突出端が、対向面Ｆ２よりも当接面Ｆ１の側に配置されるようになっている。これにより、対向面Ｆ２と弦楽器Ｖとを対向方向Ｘにおいて近づけるように両者の距離を調整する際に、第１操作部Ｌｃ１がその調整の妨げとならないようにすることができる。また、図８に示すように、第１操作部Ｌｃ１は、対向方向Ｘ視において第１延在方向Ｙ１と直交する方向に、第１突起部Ｌｂ１と並ぶように配置されている。そして、第１操作部Ｌｃ１と第１突起部Ｌｂ１とは、共に第１摺動面ＳＦ１に設けられている。これにより、第１操作部Ｌｃ１が当接面Ｆ１の側に指先で押圧されて操作されることによる対向方向Ｘの移動（揺動）動作を、第１突起部Ｌｂ１に効率的に伝達して第１突起部Ｌｂ１を対向方向Ｘに移動（揺動）させることができるようになっている。
【００５２】
〔ロック機構の動作〕
第１ロック機構Ｌ１は、第１操作部Ｌｃ１が操作されることにより、第１突起部Ｌｂ１を第１凹部Ｌａ１に対して移動させるように構成されている。ここでは、第１操作部Ｌｃ１（操作部Ｌｃ、第２操作部Ｌｃ２）が操作されることにより、第１突起部Ｌｂ１（突起部Ｌｂ、第２突起部Ｌｂ２）は、複数の第１凹部Ｌａ１（凹部Ｌａ、第２凹部Ｌａ２）のいずれかの内部に突出して当該第１凹部Ｌａ１（凹部Ｌａ、第２凹部Ｌａ２）に係合した突出状態と、第１凹部Ｌａ１（凹部Ｌａ、第２凹部Ｌａ２）から抜け出る位置まで引退した引退状態とに、状態変更するように構成されている。図９では、第１突起部Ｌｂ１の突出状態が実線で示されており、第１突起部Ｌｂ１の引退状態が仮想線で示されている。
【００５３】
そして、第１操作部Ｌｃ１（操作部Ｌｃ、第２操作部Ｌｃ２）が、当接面Ｆ１の側への指先での押圧が解除される形で操作されて第１突起部Ｌｂ１（突起部Ｌｂ、第２突起部Ｌｂ２）が突出状態となることで本体部１０に対する第１摺動体Ｓｂ１（摺動体Ｓｂ、第２摺動体Ｓｂ２）の位置が固定された固定状態となり、第１操作部Ｌｃ１（操作部Ｌｃ、第２操作部Ｌｃ２）が、当接面Ｆ１の側への指先での押圧により操作されて第１突起部Ｌｂ１（突起部Ｌｂ、第２突起部Ｌｂ２）が引退状態となることで本体部１０に対する第１摺動体Ｓｂ１（摺動体Ｓｂ、第２摺動体Ｓｂ２）の位置の固定が解除された固定解除状態となる。
【００５４】
本実施形態では、第１操作部Ｌｃ１は、対向方向Ｘにおける対向面Ｆ２の側から当接面Ｆ１の側に向かって押し操作されるように構成されている。そして、第１操作部Ｌｃ１が押し操作されることにより、第１摺動体Ｓｂ１が弾性変形し、第１突起部Ｌｂ１が突出状態から引退状態に状態変更される。また、第１突起部Ｌｂ１が複数の第１凹部Ｌａ１（凹部Ｌａ、第２凹部Ｌａ２）のいずれかに対応する位置にある状態で、第１操作部Ｌｃ１に対する押し操作が解除されることにより、第１摺動体Ｓｂ１の弾性力により、第１突起部Ｌｂ１が引退状態から突出状態に復帰する。
【００５５】
２．その他の実施形態
次に、肩当て装置のその他の実施形態について説明する。
【００５６】
（１）図１０に示すように、肩当て装置１００は、本体部１０に設けられ、索状体８０が係止される索状体係止部１４を更に備えていてもよい。図示の例では、索状体係止部１４は、本体部１０における演奏者９０の肩９１（図１参照）に近い側の縁部に形成されている。この索状体係止部１４に対して、索状体８０の一端が係止され、弦楽器Ｖの第３側縁部Ｖ３に対して、索状体８０の他端が係止される。第３側縁部Ｖ３は、弦楽器Ｖの本体の外縁部における、第１側縁部Ｖ１及び第２側縁部Ｖ２とは異なる部分である。なお、索状体８０としては、伸縮しない紐を好適に用いることができる。
【００５７】
（２）上記の実施形態では、図６に示すように、第１裏面３３ＲＦは、距離調整部Ｄによって対向方向Ｘにおける対向面Ｆ２と第１係止部３０との距離を最も短く調整した状態で、第１本体部１１（本体部１０）と接触しないように構成されている例について説明した。しかし、このような構成に限定されることなく、図１１に示すように、第１裏面３３ＲＦと第１本体部１１（本体部１０）とは、互いに接触可能に構成されていてもよい。すなわち、距離調整部Ｄによって対向方向Ｘにおける対向面Ｆ２（本体部１０）と第１係止部３０（第１裏面３３ＲＦ）との距離が最も短く調整された状態で、対向面Ｆ２（本体部１０）と第１連結係止部３３（第１裏面３３ＲＦ）とが、対向方向Ｘに接触するように構成されていてもよい。この構成によれば、演奏者９０の肩９１と弦楽器Ｖの裏板（底面）との間の距離を、より短く調整することが可能となる。
【００５８】
（３）上記の実施形態では、第２連結部５１は、対向面Ｆ２と第２係止部５０との対向方向Ｘの距離を一定に維持するように構成されている例について説明した。しかし、このような例に限定されることなく、第２連結部５１は、第１連結部３１と同様に、対向面Ｆ２と第２係止部５０との対向方向Ｘの距離を調整する距離調整部Ｄを有していてもよい。
【００５９】
（４）上記の実施形態では、距離調整部Ｄが、雌雄一対のねじ部Ｄａ，Ｄｂを有し、これら一対のねじ部Ｄａ，Ｄｂの相対回転により、対向面Ｆ２と第１係止部３０との対向方向Ｘの距離を調整する例について説明した。しかし、距離調整部Ｄの構成は、このようなものに限定されない。例えば、距離調整部Ｄは、上述した間隔調整部Ｓと同様に、第１係止部３０に連結され、案内部に沿って案内されて移動する被案内部と、当該案内部の位置を複数個所のいずれかに固定するロック機構とを備えた構成としてもよい。
【００６０】
（５）上記の実施形態では、第１連結部３１及び第２連結部５１の少なくとも一方が、対向方向Ｘ視における第１係止部３０と第２係止部５０との間隔を調整する間隔調整部Ｓを有する例について説明した。しかし、このような例に限定されることなく、第１連結部３１及び第２連結部５１の双方が、間隔調整部Ｓを有さず、第１係止部３０と第２係止部５０との間隔が一定に固定された構成であってもよい。
【００６１】
（６）上記の実施形態では、凹部Ｌａが、対向側外枠部１０ｂを対向方向Ｘに貫通するように形成され、この凹部Ｌａに係合可能である突起部Ｌｂが、摺動面ＳＦから対向方向Ｘにおける弦楽器Ｖの側に突出するように設けられている例について説明した。しかし、このような構成に限定されることなく、例えば、凹部Ｌａは、対向側外枠部１０ｂにおいて、凹溝Ｓａから対向面Ｆ２に沿う方向に凹むように形成されていてもよい。その場合、突起部Ｌｂは、当該凹部Ｌａが凹む方向に突出するように摺動体Ｓｂに設けられるとよい。
【００６２】
（７）第１係止部３０及び第２係止部５０は、発泡樹脂やゴム等の弾性部材により被覆されているとよい。これによれば、第１係止部３０及び第２係止部５０が弦楽器Ｖに係止されることによって、弦楽器Ｖが傷つくことを抑止することができる。
【００６３】
（８）本体部１０は、透明或いは半透明の部材により構成されていてもよい。これによれば、本体部１０の内部に設けられた間隔調整部Ｓやロック機構Ｌ等の機構を視認可能となり、意匠性を向上させることができる。同様に、第１係止部３０及び第２係止部５０、並びに、第１連結部３１及び第２連結部５１のいずれか一つ以上が透明或いは半透明の部材により構成されていてもよい。
【００６４】
（９）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【００６５】
３．上記実施形態の概要
以下、上記において説明した肩当て装置の概要について説明する。
【００６６】
本開示に係る肩当て装置は、
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記第１連結部は、前記対向面と前記第１係止部との前記対向方向の距離を調整する距離調整部を有し、
前記距離調整部は、前記第１係止部が前記第１側縁部に係止された状態で、前記対向方向に沿う対向方向視で前記弦楽器と重複しない位置に配置されている。
【００６７】
本構成によれば、距離調整部によって本体部の対向面と第１係止部との対向方向の距離を調整することができるため、演奏者の肩と弦楽器の裏板との間の距離を適切に調整することができる。そして、距離調整部は、第１係止部が弦楽器の第１側縁部に係止された状態で、対向方向視で弦楽器と重複しない位置に配置されているため、演奏者の肩と弦楽器の裏板との間に挟まれる位置に距離調整部が配置されることはない。そのため、本構成によれば、従来の構成のように演奏者の肩と弦楽器の裏板との間に挟まれる位置に距離調整部が配置されている場合に比べて、演奏者の肩と弦楽器の裏板との間の距離を小さくする側の調整範囲の制限を少なくすることができる。従って、演奏者の肩と弦楽器の裏板との間の距離の調整範囲を広く確保することが可能となっている。
【００６８】
ここで、
前記第２連結部は、前記対向面と前記第２係止部との前記対向方向の距離を一定に維持するように構成されていると好適である。
【００６９】
第１係止部及び第２係止部のうち演奏者の肩に近い側において、対向面との対向方向の距離を調整できれば、演奏者の肩と弦楽器の裏板との間の距離の調整を必要な範囲で行うことができる。本構成によれば、第１連結部が有する距離調整部によって演奏者の肩と弦楽器の裏板との間の距離を調整することができる構成としつつ、第２連結部については、対向面と第２係止部との対向方向の距離を一定に維持する構成として、第２連結部の構成の簡略化を図ることができる。従って、本構成によれば、演奏者の肩と弦楽器の裏板との間の距離を調整可能な構成を備えつつ、装置全体として構成を簡略化することができる。
【００７０】
また、
前記第１連結部は、前記本体部に連結された第１連結本体部と、前記第１係止部に連結された第１連結係止部と、を有し、
前記距離調整部は、前記第１連結本体部と前記第１連結係止部とを連結するように設けられていると共に、互いに螺合する雌雄一対のねじ部を有し、一対の前記ねじ部の相対回転によって前記第１連結本体部と前記第１連結係止部とを前記対向方向に相対移動させると好適である。
【００７１】
本構成によれば、第１連結本体部と連結する本体部の対向面と、第１連結係止部に連結する第１係止部との距離を、一対のねじ部を相対回転させることによって調整することができる。従って、演奏者の肩と弦楽器の裏板との間の距離を微調整することができる。
【００７２】
ここで、
前記距離調整部によって前記対向方向における前記対向面と前記第１係止部との距離が最も短く調整された状態で、前記対向面と前記第１連結係止部とが、前記対向方向に接触すると好適である。
【００７３】
本構成によれば、演奏者の肩と弦楽器の裏板との間の距離を、本体部の対向方向の厚みに近い程度まで小さくすることが可能な構成を実現できる。
【００７４】
また、
前記第１連結部及び前記第２連結部の少なくとも一方は、前記対向方向視における前記第１係止部と前記第２係止部との間隔を調整する間隔調整部を有すると好適である。
【００７５】
本構成によれば、対向方向視での弦楽器の形状や寸法、さらに、演奏者の肩に当接する位置を演奏者の好みに合せて、第１係止部と第２係止部との間隔を調節して弦楽器の所望の位置に第１係止部及び第２係止部を係止させることができる。これより、演奏者の好みに合せて、弦楽器に対する肩当て装置の位置を調節することができる。
【００７６】
また、
前記第１係止部と前記第２係止部とのうちの対象とする方を対象係止部として、
前記間隔調整部は、前記本体部の前記対向面に形成されて前記本体部の延在方向に沿って延びる凹溝と、前記対象係止部に連結されると共に前記凹溝に収容されて当該凹溝に沿って摺動する摺動体と、前記本体部に対する前記摺動体の位置を固定するロック機構と、を備えると好適である。
【００７７】
本構成によれば、摺動体を本体部の延在方向に沿って摺動させることができる。これにより、当該摺動体に連結する対象係止部を延在方向に沿って移動させることができ、その結果、第１係止部と第２係止部との間隔を、本体部の延在方向に調整することができる。また、ロック機構によって摺動体の位置を固定することで、第１係止部と第２係止部との間隔が、例えば振動などにより、使用者の意図に反して変更されることを抑止できる。
【００７８】
また、
前記ロック機構は、前記凹溝に隣接して配置されると共に前記凹溝に沿って並んで形成された複数の凹部と、前記摺動体に設けられて複数の前記凹部が設けられた側に向かって突出する形状に形成された突起部と、前記突起部を操作する操作部と、を有し、
前記突起部は、複数の前記凹部のいずれかの内部に突出して当該凹部に係合した突出状態と、前記凹部から抜け出る位置まで引退した引退状態とに、状態変更するように構成され、
前記操作部が操作されて前記突起部が前記突出状態となることで前記本体部に対する前記摺動体の位置が固定された固定状態となり、前記操作部が操作されて前記突起部が前記引退状態となることで前記本体部に対する前記摺動体の位置の固定が解除された固定解除状態となると好適である。
【００７９】
本構成によれば、凹部に対する突起部の係合によって本体部に対する摺動体の位置が固定される。これにより、第１係止部と第２係止部との間隔を固定することができる。そして、本構成によれば、突起部が係合する対象について、凹溝に沿って並んで形成された複数の凹部のうちいずれかを選択できるため、第１係止部と第２係止部との間隔を、複数の凹部の数だけ、段階的に変更しつつ固定できる。また、対向面の凹溝に隣接して配置された凹部に、摺動体に設けられた突起部を係合させる構成としているので、これらが本体部の対向面から弦楽器側へ突出しない構成とすることが容易となっている。従って、演奏者の肩と弦楽器の裏板との間の距離を小さくする場合にロック機構がその妨げにならないようにすることが容易となっている。
【００８０】
また、
前記本体部に設けられ、索状体が係止される索状体係止部を更に備えると好適である。
【００８１】
本構成によれば、索状体を利用して、肩当て装置が弦楽器に対して外れ難い構成とすることができる。例えば、索状体における、索状体係止部に係止された部分とは異なる部分を弦楽器に係止させることで、第１係止部と第２係止部と索状体とによって肩当て装置を弦楽器の３箇所に係止することができる。これにより、肩当て装置を弦楽器から外れ難くすることができる。
【００８２】
また、
前記当接面の全体が前記対向方向において前記肩側に凸となる湾曲面状に形成されていると好適である。
【００８３】
本構成によれば、演奏者の肩に対して当接面の一部のみを当接させることができるため、演奏者の肩に対して、比較的自由に本体部を揺動させることが可能となる。これにより例えば、当接面の全体が対向方向視において肩の側に凹となる湾曲面状に形成されることにより当接面の全体が肩から上胸にかけて当接するように構成されている場合に比べて、肩当て装置に支持された弦楽器を、肩当て装置を装着しない状態で弦楽器を弾くのと同じように、左手によって行う肩に対する弦楽器の微妙な角度操作を容易に行うことができ、演奏者による弦楽器の操作性を向上させることができる。
【００８４】
また、
前記本体部は、前記対向方向視において前記肩から離れる側に凸となるアーチ状に形成されていると好適である。
【００８５】
本構成によれば、本体部を演奏者の肩周辺の形状に適合した形状とすることができる。
【産業上の利用可能性】
【００８６】
本開示に係る技術は、弦楽器の裏板の外縁部に装着（係止）して演奏者の肩に載せて使用される弦楽器用の肩当て装置に利用することができる。
【符号の説明】
【００８７】
１００    ：肩当て装置
１０      ：本体部
１４      ：索状体係止部
３０      ：第１係止部
３１      ：第１連結部
３２      ：第１連結本体部
３２ｃ    ：雄ねじ部
３３      ：第１連結係止部
４０      ：対象係止部
５０      ：第２係止部
５１      ：第２連結部
５２      ：第２連結本体部
５３      ：第２連結係止部
８０      ：索状体
９０      ：演奏者
９１      ：肩
９２      ：首
Ｄ        ：距離調整部
Ｄａ      ：ねじ部
Ｄｂ      ：ねじ部
Ｆ１      ：当接面
Ｆ２      ：対向面
Ｌ        ：ロック機構
Ｌ１      ：第１ロック機構
Ｌ２      ：第２ロック機構
Ｌａ      ：凹部
Ｌａ１    ：第１凹部
Ｌａ２    ：第２凹部
Ｌｂ      ：突起部
Ｌｂ１    ：第１突起部
Ｌｂ２    ：第２突起部
Ｌｃ      ：操作部
Ｌｃ１    ：第１操作部
Ｌｃ２    ：第２操作部
Ｓ        ：間隔調整部
Ｓ１      ：第１間隔調整部
Ｓ２      ：第２間隔調整部
Ｓａ      ：凹溝
Ｓａ１    ：第１凹溝
Ｓａ２    ：第２凹溝
Ｓｂ      ：摺動体
Ｓｂ１    ：第１摺動体
Ｓｂ２    ：第２摺動体
Ｖ        ：弦楽器
Ｖ１      ：第１側縁部
Ｖ２      ：第２側縁部
Ｘ        ：対向方向
Ｙ１      ：第１延在方向
Ｙ２      ：第２延在方向
【図１】
2020067549.tif 000003
【図２】
2020067549.tif 000004
【図３】
2020067549.tif 000005
【図４】
2020067549.tif 000006
【図５】
2020067549.tif 000007
【図６】
2020067549.tif 000008
【図７】
2020067549.tif 000009
【図８】
2020067549.tif 000010
【図９】
2020067549.tif 000011
【図１０】
2020067549.tif 000012
【図１１】
2020067549.tif 000013
【図１２】
2020067549.tif 000014
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記第１連結部は、前記対向面と前記第１係止部との前記対向方向の距離を調整する距離調整部を有し、
前記第１連結部は、前記本体部に連結された第１連結本体部と、前記第１係止部に連結された第１連結係止部と、を有し、
前記距離調整部は、前記第１連結本体部と前記第１連結係止部とを連結するように設けられていると共に、互いに螺合する雌雄一対のねじ部を有し、一対の前記ねじ部の相対回転によって前記第１連結本体部と前記第１連結係止部とを前記対向方向に相対移動させ、
前記距離調整部は、前記第１係止部が前記第１側縁部に係止された状態で、前記対向方向に沿う対向方向視で前記弦楽器と重複しない位置に配置されている、肩当て装置。
【請求項２】
前記距離調整部によって前記対向方向における前記対向面と前記第１係止部との距離が最も短く調整された状態で、前記対向面と前記第１連結係止部とが、前記対向方向に接触する、請求項１に記載の肩当て装置。
【請求項３】
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記第１連結部は、前記対向面と前記第１係止部との前記対向方向の距離を調整する距離調整部を有し、
前記距離調整部は、前記第１係止部が前記第１側縁部に係止された状態で、前記対向方向に沿う対向方向視で前記弦楽器と重複しない位置に配置され、
前記第１連結部及び前記第２連結部の少なくとも一方は、前記対向方向視における前記第１係止部と前記第２係止部との間隔を調整する間隔調整部を有する、肩当て装置。
【請求項４】
前記第１係止部と前記第２係止部とのうちの対象とする方を対象係止部として、
前記間隔調整部は、前記本体部の前記対向面に形成されて前記本体部の延在方向に沿って延びる凹溝と、前記対象係止部に連結されると共に前記凹溝に収容されて当該凹溝に沿って摺動する摺動体と、前記本体部に対する前記摺動体の位置を固定するロック機構と、を備える、請求項３に記載の肩当て装置。
【請求項５】
前記ロック機構は、前記凹溝に隣接して配置されると共に前記凹溝に沿って並んで形成された複数の凹部と、前記摺動体に設けられて複数の前記凹部が設けられた側に向かって突出する形状に形成された突起部と、前記突起部を操作する操作部と、を有し、
前記突起部は、複数の前記凹部のいずれかの内部に突出して当該凹部に係合した突出状態と、前記凹部から抜け出る位置まで引退した引退状態とに、状態変更するように構成され、
前記操作部が操作されて前記突起部が前記突出状態となることで前記本体部に対する前記摺動体の位置が固定された固定状態となり、前記操作部が操作されて前記突起部が前記引退状態となることで前記本体部に対する前記摺動体の位置の固定が解除された固定解除状態となる、請求項４に記載の肩当て装置。
【請求項６】
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記本体部に設けられ、索状体が係止される索状体係止部を更に備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記第１連結部は、前記対向面と前記第１係止部との前記対向方向の距離を調整する距離調整部を有し、
前記距離調整部は、前記第１係止部が前記第１側縁部に係止された状態で、前記対向方向に沿う対向方向視で前記弦楽器と重複しない位置に配置されている、肩当て装置。
【請求項７】
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記当接面の全体が前記対向方向において前記肩側に凸となる湾曲面状に形成され、
前記第１連結部は、前記対向面と前記第１係止部との前記対向方向の距離を調整する距離調整部を有し、
前記距離調整部は、前記第１係止部が前記第１側縁部に係止された状態で、前記対向方向に沿う対向方向視で前記弦楽器と重複しない位置に配置されている、肩当て装置。
【請求項８】
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記本体部は、前記対向方向に沿う対向方向視において前記肩から離れる側に凸となるアーチ状に形成され、
前記第１連結部は、前記対向面と前記第１係止部との前記対向方向の距離を調整する距離調整部を有し、
前記距離調整部は、前記第１係止部が前記第１側縁部に係止された状態で、前記対向方向視で前記弦楽器と重複しない位置に配置されている、肩当て装置。
【請求項９】
前記第２連結部は、前記対向面と前記第２係止部との前記対向方向の距離を一定に維持するように構成されている、請求項１から８のいずれか一項に記載の肩当て装置。
【手続補正２】
【補正対象書類名】明細書
【補正対象項目名】全文
【補正方法】変更
【補正の内容】
【発明の詳細な説明】
【技術分野】
【０００１】
本発明は、弦楽器の裏板の外縁部に装着（係止）して演奏者の肩に載せて使用される弦楽器用の肩当て装置に関する。
【背景技術】
【０００２】
従来、例えば下記の特許文献１（特開２０１６−０９０９９７号公報）に開示されているように、演奏者の肩に載せられた状態で使用されるバイオリンやビオラ等の弦楽器を演奏する場合に、演奏者の肩に対する弦楽器の高さを演奏者の好みに合せて調整することができる肩当て装置が知られている。
【０００３】
このような従来の肩当て装置の使用状態の例を図１２に示す。図１２に示すように、肩当て装置（２００）は、演奏者（２９０）の肩（２９１）に当接する当接面（２１１）とバイオリン等の弦楽器（Ｖ）に対向する対向面（２１２）とを有する本体部（２１０）を備えている。そして、図１２では一方の端部（２２０）のみを示しているが、本体部（２１０）の両端部（２２０）には、弦楽器（Ｖ）に係止される係止部（２３０）が設けられている。係止部（２３０）は、当接面（２１１）から離れた位置において弦楽器（Ｖ）に係止され、これにより、弦楽器（Ｖ）を演奏者（２９０）の好みに合わせた位置で肩（２９１）に載せて支持することができる。また、肩当て装置（２００）は、弦楽器（Ｖ）と本体部（２１０）の対向面（２１２）とが対向する方向において、この対向面（２１２）と係止部（２３０）との距離を調整可能な距離調整機構（２４０）を備えており、係止部（２３０）は、この距離調整機構（２４０）を介して本体部（２１０）の端部（２２０）に連結されている。
【先行技術文献】
【特許文献】
【０００４】
【特許文献１】特開２０１６−０９０９９７号公報
【発明の概要】
【発明が解決しようとする課題】
【０００５】
ところで、演奏者の肩に対する弦楽器の高さ（演奏者の肩と弦楽器の裏板との間の距離）は、演奏者の好みに応じて調整できることが望ましい。しかしながら、上述した従来の肩当て装置では、本体部と係止部との間の距離を調整する距離調整機構が、これら係止部と本体部との間に設けられている。そのため、従来の肩当て装置では、その構造上、距離調整機構が係止部と本体部との間に存在している分、本体部と係止部との間の距離の調整可能な範囲が限られており、調整範囲の拡大に向けて改善の余地があった。
【０００６】
上記実状に鑑みて、演奏者の肩と弦楽器の裏板との間の距離の調整範囲を広く確保することが可能な肩当て装置の実現が望まれている。
【課題を解決するための手段】
【０００７】
本開示に係る肩当て装置は、
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記第１連結部は、前記対向面と前記第１係止部との前記対向方向の距離を調整する距離調整部を有し、
前記第１連結部は、前記本体部に連結された第１連結本体部と、前記第１係止部に連結された第１連結係止部と、を有し、
前記距離調整部は、前記第１連結本体部と前記第１連結係止部とを連結するように設けられていると共に、互いに螺合する雌雄一対のねじ部を有し、一対の前記ねじ部の相対回転によって前記第１連結本体部と前記第１連結係止部とを前記対向方向に相対移動させ、
前記距離調整部は、前記第１係止部が前記第１側縁部に係止された状態で、前記対向方向に沿う対向方向視で前記弦楽器と重複しない位置に配置されている。
【０００８】
本構成によれば、距離調整部によって本体部の対向面と第１係止部との対向方向の距離を調整することができるため、演奏者の肩と弦楽器の裏板との間の距離を適切に調整することができる。そして、距離調整部は、第１係止部が弦楽器の第１側縁部に係止された状態で、対向方向視で弦楽器と重複しない位置に配置されているため、演奏者の肩と弦楽器の裏板との間に挟まれる位置に距離調整部が配置されることはない。そのため、本構成によれば、従来の構成のように演奏者の肩と弦楽器の裏板との間に挟まれる位置に距離調整部が配置されている場合に比べて、演奏者の肩と弦楽器の裏板との間の距離を小さくする側の調整範囲の制限を少なくすることができる。従って、演奏者の肩と弦楽器の裏板との間の距離の調整範囲を広く確保することが可能となっている。
また、本構成によれば、第１連結本体部と連結する本体部の対向面と、第１連結係止部に連結する第１係止部との距離を、一対のねじ部を相対回転させることによって調整することができる。従って、演奏者の肩と弦楽器の裏板との間の距離を微調整することができる。
【０００９】
また、本開示に係る肩当て装置は、
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記第１連結部は、前記対向面と前記第１係止部との前記対向方向の距離を調整する距離調整部を有し、
前記距離調整部は、前記第１係止部が前記第１側縁部に係止された状態で、前記対向方向に沿う対向方向視で前記弦楽器と重複しない位置に配置され、
前記第１連結部及び前記第２連結部の少なくとも一方は、前記対向方向視における前記第１係止部と前記第２係止部との間隔を調整する間隔調整部を有する。
【００１０】
本構成によれば、距離調整部によって本体部の対向面と第１係止部との対向方向の距離を調整することができるため、演奏者の肩と弦楽器の裏板との間の距離を適切に調整することができる。そして、距離調整部は、第１係止部が弦楽器の第１側縁部に係止された状態で、対向方向視で弦楽器と重複しない位置に配置されているため、演奏者の肩と弦楽器の裏板との間に挟まれる位置に距離調整部が配置されることはない。そのため、本構成によれば、従来の構成のように演奏者の肩と弦楽器の裏板との間に挟まれる位置に距離調整部が配置されている場合に比べて、演奏者の肩と弦楽器の裏板との間の距離を小さくする側の調整範囲の制限を少なくすることができる。従って、演奏者の肩と弦楽器の裏板との間の距離の調整範囲を広く確保することが可能となっている。
本構成によれば、対向方向視での弦楽器の形状や寸法、さらに、演奏者の肩に当接する位置を演奏者の好みに合せて、第１係止部と第２係止部との間隔を調節して弦楽器の所望の位置に第１係止部及び第２係止部を係止させることができる。これより、演奏者の好みに合せて、弦楽器に対する肩当て装置の位置を調節することができる。
【００１１】
また、本開示に係る肩当て装置は、
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記本体部に設けられ、索状体が係止される索状体係止部を更に備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記第１連結部は、前記対向面と前記第１係止部との前記対向方向の距離を調整する距離調整部を有し、
前記距離調整部は、前記第１係止部が前記第１側縁部に係止された状態で、前記対向方向に沿う対向方向視で前記弦楽器と重複しない位置に配置されている。
【００１２】
本構成によれば、距離調整部によって本体部の対向面と第１係止部との対向方向の距離を調整することができるため、演奏者の肩と弦楽器の裏板との間の距離を適切に調整することができる。そして、距離調整部は、第１係止部が弦楽器の第１側縁部に係止された状態で、対向方向視で弦楽器と重複しない位置に配置されているため、演奏者の肩と弦楽器の裏板との間に挟まれる位置に距離調整部が配置されることはない。そのため、本構成によれば、従来の構成のように演奏者の肩と弦楽器の裏板との間に挟まれる位置に距離調整部が配置されている場合に比べて、演奏者の肩と弦楽器の裏板との間の距離を小さくする側の調整範囲の制限を少なくすることができる。従って、演奏者の肩と弦楽器の裏板との間の距離の調整範囲を広く確保することが可能となっている。
また、本構成によれば、索状体を利用して、肩当て装置が弦楽器に対して外れ難い構成とすることができる。例えば、索状体における、索状体係止部に係止された部分とは異なる部分を弦楽器に係止させることで、第１係止部と第２係止部と索状体とによって肩当て装置を弦楽器の３箇所に係止することができる。これにより、肩当て装置を弦楽器から外れ難くすることができる。
【００１３】
また、本開示に係る肩当て装置は、
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記当接面の全体が前記対向方向において前記肩側に凸となる湾曲面状に形成され、
前記第１連結部は、前記対向面と前記第１係止部との前記対向方向の距離を調整する距離調整部を有し、
前記距離調整部は、前記第１係止部が前記第１側縁部に係止された状態で、前記対向方向に沿う対向方向視で前記弦楽器と重複しない位置に配置されている。
【００１４】
本構成によれば、距離調整部によって本体部の対向面と第１係止部との対向方向の距離を調整することができるため、演奏者の肩と弦楽器の裏板との間の距離を適切に調整することができる。そして、距離調整部は、第１係止部が弦楽器の第１側縁部に係止された状態で、対向方向視で弦楽器と重複しない位置に配置されているため、演奏者の肩と弦楽器の裏板との間に挟まれる位置に距離調整部が配置されることはない。そのため、本構成によれば、従来の構成のように演奏者の肩と弦楽器の裏板との間に挟まれる位置に距離調整部が配置されている場合に比べて、演奏者の肩と弦楽器の裏板との間の距離を小さくする側の調整範囲の制限を少なくすることができる。従って、演奏者の肩と弦楽器の裏板との間の距離の調整範囲を広く確保することが可能となっている。
また、本構成によれば、演奏者の肩に対して当接面の一部のみを当接させることができるため、演奏者の肩に対して、比較的自由に本体部を揺動させることが可能となる。これにより例えば、当接面の全体が対向方向視において肩の側に凹となる湾曲面状に形成されることにより当接面の全体が肩から上胸にかけて当接するように構成されている場合に比べて、肩当て装置に支持された弦楽器を、肩当て装置を装着しない状態で弦楽器を弾くのと同じように、左手によって行う肩に対する弦楽器の微妙な角度操作を容易に行うことができ、演奏者による弦楽器の操作性を向上させることができる。
【００１５】
また、本開示に係る肩当て装置は、
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記本体部は、前記対向方向に沿う対向方向視において前記肩から離れる側に凸となるアーチ状に形成され、
前記第１連結部は、前記対向面と前記第１係止部との前記対向方向の距離を調整する距離調整部を有し、
前記距離調整部は、前記第１係止部が前記第１側縁部に係止された状態で、前記対向方向視で前記弦楽器と重複しない位置に配置されている。
【００１６】
本構成によれば、距離調整部によって本体部の対向面と第１係止部との対向方向の距離を調整することができるため、演奏者の肩と弦楽器の裏板との間の距離を適切に調整することができる。そして、距離調整部は、第１係止部が弦楽器の第１側縁部に係止された状態で、対向方向視で弦楽器と重複しない位置に配置されているため、演奏者の肩と弦楽器の裏板との間に挟まれる位置に距離調整部が配置されることはない。そのため、本構成によれば、従来の構成のように演奏者の肩と弦楽器の裏板との間に挟まれる位置に距離調整部が配置されている場合に比べて、演奏者の肩と弦楽器の裏板との間の距離を小さくする側の調整範囲の制限を少なくすることができる。従って、演奏者の肩と弦楽器の裏板との間の距離の調整範囲を広く確保することが可能となっている。
また、本構成によれば、本体部を演奏者の肩周辺の形状に適合した形状とすることができる。
【図面の簡単な説明】
【００１７】
【図１】肩当て装置の使用状態を示す図
【図２】演奏者側から見た肩当て装置の使用状態を示す図
【図３】対向方向視における弦楽器側からみた肩当て装置の使用状態を示す図
【図４】肩当て装置の第１斜視図
【図５】肩当て装置の第２斜視図
【図６】第１係止部の周辺の構造を示す一部断面図
【図７】第２係止部の周辺の構造を示す一部断面図
【図８】間隔調整部の動作を示す説明図
【図９】ロック機構の動作を示す説明図
【図１０】その他の実施形態に係る肩当て装置を示す図
【図１１】その他の実施形態に係る肩当て装置を示す図
【図１２】従来の肩当て装置を示す説明図
【発明を実施するための形態】
【００１８】
１．第１実施形態
第１実施形態に係る肩当て装置１００について、図面を参照して説明する。
【００１９】
〔肩当て装置の全体構成〕
図１及び図２に示すように、肩当て装置１００は、演奏者９０の肩９１（多くの場合、左肩）に載せて使用される弦楽器Ｖに装着（係止）して用いられる。ここで、肩当て装置１００が用いられる弦楽器Ｖは、演奏者９０の肩９１に載せられた状態で使用されるバイオリンやビオラ等の楽器である。肩当て装置１００は、演奏者９０の肩９１に対する弦楽器Ｖの高さ（演奏者９０の肩９１と弦楽器Ｖの裏板との間の距離）を演奏者９０の好みに合せて調整するために用いられる。
【００２０】
図２及び図３に示すように、肩当て装置１００は、演奏者９０の肩９１に当接する当接面Ｆ１、及び、当接面Ｆ１とは反対側を向き弦楽器Ｖに対向する対向面Ｆ２を有する本体部１０と、弦楽器Ｖの第１側縁部Ｖ１に係止される第１係止部３０と、弦楽器Ｖの第２側縁部Ｖ２に係止される第２係止部５０と、を備えている。弦楽器Ｖの第１側縁部Ｖ１及び第２側縁部Ｖ２は、表板、側板、及び裏板を含んで構成される弦楽器Ｖの本体における、外縁部に配置されている。そして、図２及び図３に示すように、第１側縁部Ｖ１と第２側縁部Ｖ２とは互いに反対側を向くと共に、第１側縁部Ｖ１は第２側縁部Ｖ２よりも演奏者９０の肩９１（図１参照）に近い側に位置している。但し、ここでの第１側縁部Ｖ１及び第２側縁部Ｖ２は、予め定められた特定の位置に限定されるものではない。第１側縁部Ｖ１は、弦楽器Ｖの本体の外縁部における第１係止部３０が係止される部分である。同様に、第２側縁部Ｖ２は、弦楽器Ｖの本体の外縁部における第２係止部５０が係止される部分である。
【００２１】
本明細書では、弦楽器Ｖと本体部１０の対向面Ｆ２とが対向する方向を「対向方向Ｘ」とし、本体部１０における第１本体部１１（後述する）が延在する方向を「第１延在方向Ｙ１」とし、本体部１０における第２本体部１２（後述する）が延在する方向を「第２延在方向Ｙ２」として、肩当て装置１００の構成について説明する。また、以下、肩当て装置１００を構成する各部の配置等を説明する場合には、本体部１０における中間本体部１３（後述する）を中心として「外側（中心から離れる側）」及び「内側（外側から中心に向かう側）」と定義するものとする。
【００２２】
図２及び図３に示すように、肩当て装置１００は、第１係止部３０と本体部１０とを連結する第１連結部３１と、第２係止部５０と本体部１０とを連結する第２連結部５１と、を備えている。これにより、本体部１０と第１係止部３０と第２係止部５０とが、一体的に構成される。そして、肩当て装置１００の使用状態では、図２に示すように、第１係止部３０が第１側縁部Ｖ１に係止されると共に第２係止部５０が第２側縁部Ｖ２に係止された状態で、本体部１０における当接面Ｆ１が演奏者９０の肩９１に当接した状態となる。以下、肩当て装置１００の各部の構成について説明する。なお、以下の説明では、特に断らない限り、肩当て装置１００の使用状態、すなわち、肩当て装置１００を対向方向Ｘに挟んで弦楽器Ｖと演奏者９０の肩９１とが配置された状態を基準として、肩当て装置１００の各部の構成について説明する。従って、以下の説明に伴って参照する図面に、弦楽器Ｖ及び演奏者９０の肩９１（或いは首９２）が示されていない場合であっても、これら弦楽器Ｖ及び演奏者９０の肩９１が存在するものとして、両者の配置を基準に肩当て装置１００の各部の構成を説明する場合がある。
【００２３】
〔本体部〕
本体部１０は、演奏者９０の肩９１に当接する当接面Ｆ１と、弦楽器Ｖに対向する対向面Ｆ２と、を有する板状部材により構成されている。図９に示すように、本実施形態では、本体部１０は、その内部に空洞部を有しており、当接面Ｆ１が形成されると共に当該空洞部を対向方向Ｘにおける肩９１（演奏者９０）の側から覆う当接側外枠部１０ａと、対向面Ｆ２が形成されると共に当該空洞部を対向方向Ｘにおける弦楽器Ｖの側から覆う対向側外枠部１０ｂと、を有している。図１及び図３に示すように、本体部１０は、対向方向Ｘに沿う方向視である対向方向Ｘ視において肩９１から離れる側に凸となるアーチ状に形成されている。そして、図２に示すように、当接面Ｆ１の全体が対向方向Ｘにおいて肩９１の側に凸となる湾曲面状に形成されている。これにより、肩９１に対して当接面Ｆ１の一部を当接させることができる。従って、例えば、当接面Ｆ１の全体が対向方向Ｘ視において肩９１の側に凹となる湾曲面状に形成されることにより、当接面Ｆ１の全体が肩９１から上胸にかけて当接するように構成されている場合に比べて、肩当て装置１００に支持された弦楽器Ｖを、肩当て装置１００を装着しない状態で弦楽器Ｖを弾くのと同じように、左手によって行う肩９１に対する弦楽器Ｖの微妙な角度操作を容易に行うことができ、演奏者９０による弦楽器Ｖの操作性を向上させることが可能となっている。但し、上記のような構成に限定されることなく、本体部１０は、対向方向Ｘ視において直線状に形成されていてもよい。また、当接面Ｆ１の全体が平面状に形成され、或いは、対向方向Ｘにおいて弦楽器Ｖの側に凸となる湾曲面状に形成されていてもよい。
【００２４】
図３〜図５に示すように、本実施形態では、本体部１０は、第１係止部３０が配置される側の部分である第１本体部１１と、第２係止部５０が配置される側の部分である第２本体部１２と、第１本体部１１と第２本体部１２との間の部分である中間本体部１３と、を有して構成されている。
【００２５】
第１本体部１１と第２本体部１２とは、中間本体部１３によって連結されている。第１本体部１１は、中間本体部１３から第１係止部３０が配置される側に向かって延在しており、第２本体部１２は、中間本体部１３から第２係止部５０が配置される側に向かって延在している。上述のように、第１本体部１１が延在する方向が第１延在方向Ｙ１であり、第２本体部１２が延在する方向が第２延在方向Ｙ２である。そして、図３に示すように、第１延在方向Ｙ１と第２延在方向Ｙ２とは、対向方向Ｘ視において斜めに交差するように設定されており、第１延在方向Ｙ１に沿う第１本体部１１と、第２延在方向Ｙ２に沿う第２本体部１２と、これら第１本体部１１と第２本体部１２との間に形成された中間本体部１３とによって、上述のように、本体部１０の全体が対向方向Ｘ視でアーチ状を成している。
【００２６】
〔第１係止部〕
第１係止部３０は、弦楽器Ｖの第１側縁部Ｖ１に係止されて、弦楽器Ｖを支持する。第１係止部３０は、第１側縁部Ｖ１を外側から把持する第１係止爪３３ｄを有している。図６に示すように、第１係止爪３３ｄは、対向方向Ｘに沿う第１軸心ＡＸ１まわりに旋回可能に構成されている。また、第１係止爪３３ｄは、弦楽器Ｖの第１側縁部Ｖ１に係止された状態で、当該第１側縁部Ｖ１の形状に適合する形状とされている。これにより、第１係止爪３３ｄは、弦楽器Ｖの本体の外縁部の形状に合わせて、第１側縁部Ｖ１に係止されることが可能となっている。なお、第１係止部３０は１つ又は複数の第１係止爪３３ｄを備える。図３〜図５等に示すように、本例では、第１係止部３０は一対の第１係止爪３３ｄを備えている。
【００２７】
〔第１連結部〕
第１連結部３１は、第１係止部３０と本体部１０とを連結する。図６に示すように、本実施形態では、第１連結部３１は、第１本体部１１（本体部１０）に連結された第１連結本体部３２と、第１係止部３０に連結された第１連結係止部３３と、を有している。
【００２８】
第１連結本体部３２は、第１係止部３０が第１側縁部Ｖ１に係止された状態（図２参照）で、当該第１係止部３０よりも外側に配置された本体側固定部３２ｂと、本体側固定部３２ｂから第１軸心ＡＸ１に沿って延びる本体側軸部３２ａと、を有している。これにより、第１係止部３０が第１側縁部Ｖ１に係止された状態（図２参照）で、当該第１係止部３０は、本体側軸部３２ａ（第１軸心ＡＸ１）よりも内側に配置され、この第１係止部３０によって支持される第１側縁部Ｖ１（弦楽器Ｖ）についても、本体側軸部３２ａ（第１軸心ＡＸ１）よりも内側に配置される。
【００２９】
本体側固定部３２ｂは、第１本体部１１（本体部１０）から外側に突出している。本体側軸部３２ａは、本体側固定部３２ｂに固定されている。本体側軸部３２ａは、第１軸心ＡＸ１に沿って配置されると共に、本体側固定部３２ｂから対向方向Ｘにおける弦楽器Ｖの側（肩９１とは反対側）に向かって延びている。本実施形態では、本体側軸部３２ａは、雄ねじ部３２ｃを有している。具体的には図６に示すように、本体側軸部３２ａは、ボルトにより構成されており、ボルトの頭部が本体側固定部３２ｂに固定され、雄ねじ部３２ｃを有するボルトの軸部が本体側固定部３２ｂから対向方向Ｘにおける弦楽器Ｖの側に向かって突出している。但し、上記の構成に限定されることなく、すなわち、本体側軸部３２ａは、本体側固定部３２ｂに固定されていなくてもよく、本体側固定部３２ｂに対して回転可能に支持されていてもよい。
【００３０】
図６に示すように、第１連結係止部３３は、第１軸心ＡＸ１に沿って配置される筒状に形成された係止側筒部３３ａと、当該係止側筒部３３ａに連結され、第１軸心ＡＸ１を基準とする径方向に沿って延びる板状に形成された第１係止側板部３３ｂと、第１係止側板部３３ｂに連結された第１係止爪３３ｄと、を有している。
【００３１】
第１係止側板部３３ｂは、対向方向Ｘにおける弦楽器Ｖの側を向く第１載置面３３Ｆと、対向方向Ｘにおいて第１載置面３３Ｆとは反対側を向く第１裏面３３ＲＦと、を有している。第１載置面３３Ｆは、弦楽器Ｖの第１側縁部Ｖ１を支持する。このとき、弦楽器Ｖの第１側縁部Ｖ１は、第１載置面３３Ｆに載置された状態となる。第１裏面３３ＲＦは、対向方向Ｘ視において第１本体部１１（本体部１０）と重複した状態で、対向方向Ｘにおいて第１本体部１１（本体部１０）に対向するように配置されている。なお本例では、距離調整部Ｄによって対向方向Ｘにおける対向面Ｆ２と第１係止部３０との距離を最も短く調整した状態でも、第１裏面３３ＲＦと第１本体部１１（本体部１０）とは接触しないように構成されている。
【００３２】
第１係止爪３３ｄは、第１係止側板部３３ｂにおける第１載置面３３Ｆに連結されている。本例では、第１係止爪３３ｄは、第１載置面３３Ｆから対向方向Ｘにおける弦楽器Ｖの側に突出していると共に、当該突出方向の先端部分が、第１側縁部Ｖ１に係止された姿勢で第１延在方向Ｙ１における弦楽器Ｖの側に突出するように形成されている。そして、第１係止爪３３ｄと第１載置面３３Ｆとによって、弦楽器Ｖの第１側縁部Ｖ１を、対向方向Ｘの両側及び外側から挟み込むようにして支持している。本実施形態では、弦楽器Ｖの第１側縁部Ｖ１を支持する第１係止爪３３ｄと第１載置面３３Ｆとを含んで、第１係止部３０が構成されている。
【００３３】
係止側筒部３３ａは、上述の本体側軸部３２ａに連結されている。図示の例では、係止側筒部３３ａは、本体側軸部３２ａに対して、第１軸心ＡＸ１を基準とする径方向の内側から支持されている。本実施形態では、係止側筒部３３ａは、筒状の内周面に、雌ねじ部３３ｃを有している。そして、係止側筒部３３ａの雌ねじ部３３ｃと本体側軸部３２ａの雄ねじ部３２ｃとが、互いに螺合している。
【００３４】
〔距離調整部〕
第１連結部３１は、対向面Ｆ２と第１係止部３０との対向方向Ｘの距離を調整する距離調整部Ｄを有している。本実施形態では、距離調整部Ｄは、弦楽器Ｖの第１側縁部Ｖ１が載置される第１載置面３３Ｆと、対向面Ｆ２との距離を調整する。
【００３５】
距離調整部Ｄは、第１連結本体部３２と第１連結係止部３３とを相対移動させる。本実施形態では、距離調整部Ｄは、第１連結本体部３２と第１連結係止部３３とを連結するように設けられていると共に、互いに螺合する雌雄一対のねじ部Ｄａ，Ｄｂを有し、一対のねじ部Ｄａ，Ｄｂの相対回転によって第１連結本体部３２と第１連結係止部３３とを対向方向Ｘに相対移動させる。本例では、雌雄一対のねじ部Ｄａ，Ｄｂは、第１連結本体部３２に設けられた雄ねじ部３２ｃ（Ｄａ）と、第１連結係止部３３に設けられた雌ねじ部３３ｃ（Ｄｂ）と、を含んで構成されている。但し、上記のような構成に限定されることなく、雌ねじ部Ｄｂが第１連結本体部３２に設けられ、雄ねじ部Ｄａが第１連結係止部３３に設けられていてもよい。この場合、雌ねじ部Ｄｂを有する第１連結本体部３２が筒状部を有して構成され、雄ねじ部Ｄａを有する第１連結係止部３３が上記筒状部に挿入される軸部を有して構成されているとよい。
【００３６】
図２及び図３に示すように、距離調整部Ｄは、第１係止部３０が第１側縁部Ｖ１に係止された状態で、対向方向Ｘ視で弦楽器Ｖと重複しない位置に配置されている。本実施形態では、距離調整部Ｄは、第１軸心ＡＸ１に対応して設けられており、上述のように、第１軸心ＡＸ１（本体側軸部３２ａ）は、第１係止部３０が第１側縁部Ｖ１に係止された状態で、当該第１側縁部Ｖ１よりも外側に配置されている。従って、第１軸心ＡＸ１に対応して設けられる距離調整部Ｄは、第１係止部３０が第１側縁部Ｖ１に係止された状態で、当該第１側縁部Ｖ１よりも外側に配置されている。このような構成により、対向方向Ｘにおいて、弦楽器Ｖと対向面Ｆ２（本体部１０）との間に距離調整部Ｄが配置されないようにすることができ、その分、これら弦楽器Ｖと対向面Ｆ２との距離を小さくする際の調整範囲の制限を少なくできている。
【００３７】
〔第２係止部〕
第２係止部５０は、弦楽器Ｖの第２側縁部Ｖ２に係止されて、弦楽器Ｖを支持する。第２係止部５０は、第２側縁部Ｖ２を外側から把持する第２係止爪５３ｃを有している。図７に示すように、第２係止爪５３ｃは、対向方向Ｘに沿う第２軸心ＡＸ２まわりに旋回可能に構成されている。また、第２係止爪５３ｃは、弦楽器Ｖの第２側縁部Ｖ２に係止された状態で、当該第２側縁部Ｖ２の形状に適合する形状とされている。これにより、第２係止爪５３ｃは、弦楽器Ｖの本体の外縁の形状に合わせて、第２側縁部Ｖ２に係止されることが可能となっている。なお、第２係止部５０は１つ又は複数の第２係止爪５３ｃを備える。図３〜図５等に示すように、本例では、第２係止部５０は一対の第２係止爪５３ｃを備えている。
【００３８】
〔第２連結部〕
第２連結部５１は、第２係止部５０と本体部１０とを連結する。本実施形態では、第２連結部５１は、第２本体部１２（本体部１０）に連結された第２連結本体部５２と、第２係止部５０に連結された第２連結係止部５３と、を有している。本実施形態では、第２連結本体部５２と第２連結係止部５３とは、第２軸心ＡＸ２まわりに相対回転するように構成されている。図示の例では、第２連結係止部５３が、第２連結本体部５２に対して第２軸心ＡＸ２まわりに回転可能に支持されている。
【００３９】
本実施形態では、第２連結部５１は、対向面Ｆ２と第２係止部５０との対向方向Ｘの距離を一定に維持するように構成されている。本例では、本体部１０（第２本体部１２）に連結された第２連結本体部５２と、第２係止部５０に連結された第２連結係止部５３との、対向方向Ｘにおける相対移動が抑止されている。これにより、本体部１０と第２係止部５０との対向方向Ｘの距離が一定に維持され、ひいては、対向面Ｆ２と第２係止部５０との対向方向Ｘの距離が一定に維持される。つまり、本例では、第２連結部５１は、第１連結部３１が備える距離調整部Ｄのような、対向面Ｆ２と第２係止部５０との対向方向Ｘの距離を調整する機構を備えていない。これにより、演奏者９０の肩９１の上に載る側の対面側において、演奏者９０の上胸の上に載らず、胸を不必要に圧迫することが避けられ、同時に、第２連結部５１の構成の簡略化を図ることが可能となっている。
【００４０】
図７に示すように、第２連結本体部５２は、第２軸心ＡＸ２に沿って配置される筒状に形成された本体側筒部５２ａを有している。図示の例では、本体側筒部５２ａは、第２本体部１２（本体部１０）から外側に突出している。
【００４１】
本実施形態では、第２連結本体部５２は、本体側筒部５２ａの筒状の内周面に形成されて第２軸心ＡＸ２を基準とする径方向に広がる本体側段差部５２ｂを更に有している。本体側段差部５２ｂによって、本体側筒部５２ａの内径が、対向方向Ｘにおいて変化している。本例では、本体側筒部５２ａの内径のうち、本体側段差部５２ｂを境界とする対向方向Ｘにおける第２係止部５０側の内径が、本体側段差部５２ｂを境界とする対向方向Ｘにおける第２係止部５０側とは反対側の内径よりも小さくなっている。換言すれば、本体側筒部５２ａの筒状の内周面には、大径部５２ｃと、この大径部５２ｃよりも対向方向Ｘにおける第２係止部５０側に配置されて当該大径部５２ｃよりも内径が小さい小径部５２ｄと、が形成されている。大径部５２ｃと小径部５２ｄとの間に、本体側段差部５２ｂが形成されている。
【００４２】
図７に示すように、第２連結係止部５３は、第２軸心ＡＸ２を基準とする径方向に沿って延びる板状に形成された第２係止側板部５３ｂと、当該第２係止側板部５３ｂから本体側筒部５２ａの内周部に向かって突出する係止側突起部５３ａと、第２係止側板部５３ｂに連結された第２係止爪５３ｃと、を有している。
【００４３】
第２係止側板部５３ｂは、対向方向Ｘにおける弦楽器Ｖの側を向く第２載置面５３Ｆと、対向方向Ｘにおいて第２載置面５３Ｆとは反対側を向く第２裏面５３ＲＦと、を有している。第２載置面５３Ｆは、弦楽器Ｖの第２側縁部Ｖ２を支持する。このとき、弦楽器Ｖの第２側縁部Ｖ２は、第２載置面５３Ｆに載置された状態となる。
【００４４】
第２係止爪５３ｃは、第２係止側板部５３ｂにおける第２載置面５３Ｆに連結されている。本例では、第２係止爪５３ｃは、第２載置面５３Ｆから対向方向Ｘにおける弦楽器Ｖの側に突出していると共に、当該突出方向の先端部分が、第２側縁部Ｖ２に係止された姿勢で第２延在方向Ｙ２における弦楽器Ｖの側に突出するように形成されている。そして、第２係止爪５３ｃと第２載置面５３Ｆとによって、弦楽器Ｖの第２側縁部Ｖ２を、対向方向Ｘの両側及び外側から挟み込むようにして支持している。本実施形態では、弦楽器Ｖの第２側縁部Ｖ２を支持する第２係止爪５３ｃと第２載置面５３Ｆとを含んで、第２係止部５０が構成されている。
【００４５】
係止側突起部５３ａは、第２係止側板部５３ｂにおける第２裏面５３ＲＦに連結されている。本例では、係止側突起部５３ａは、第２裏面５３ＲＦから対向方向Ｘにおける第２係止爪５３ｃの側とは反対側に突出している。図７に示すように、係止側突起部５３ａの先端（突出端）には、上述の本体側段差部５２ｂに引っ掛かるフック部５３ｄが形成されている。フック部５３ｄは、対向方向Ｘにおける第２係止爪５３ｃ側を向く第１段差面５３ｅを有している。この第１段差面５３ｅは、本体側段差部５２ｂに対向するように配置される。そして、第１段差面５３ｅと、第２裏面５３ＲＦに形成された対向方向Ｘにおけるフック部５３ｄ側を向く第２段差面５３ｆとによって、本体側筒部５２ａの小径部５２ｄが対向方向Ｘに挟まれた状態となっている。これにより、第２連結本体部５２と第２連結係止部５３との対向方向Ｘにおける相対移動が抑止されている。本実施形態では、係止側突起部５３ａは、第２軸心ＡＸ２に沿うスリットが形成された二股構造となっており、また、フック部５３ｄは、先端側に向かって先細りとなるテーパ面５３ｇを有している。
これにより、第２連結本体部５２に対して第２連結係止部５３を取り付ける際に、本体側筒部５２ａの内周部への係止側突起部５３ａの挿入を行い易くできる。すなわち、挿入の際には、テーパ状のフック部５３ｄが、係止側突起部５３ａを本体側筒部５２ａの内周部へ案内し、挿入中には、二股構造である係止側突起部５３ａ及びその先端のフック部５３ｄが、本体側筒部５２ａの内周面に径方向（第２軸心ＡＸ２を基準とする径方向）の外側から押圧されて縮径する（径方向に小さくなる）。そして、フック部５３ｄが本体側筒部５２ａの大径部５２ｃに到達すると、本体側筒部５２ａの内周面による押圧が解除されて、当該フック部５３ｄは、元の径に戻ると共に第１段差面５３ｅが本体側段差部５２ｂに対向する状態となる。これにより、係止側突起部５３ａの抜け止めがなされた状態で、第２連結係止部５３が第２連結本体部５２に取り付けられる。
【００４６】
図７に示すように、本実施形態では、第１段差面５３ｅと第２段差面５３ｆとの対向する距離が、小径部５２ｄの対向方向Ｘの長さに対してわずかに長く設定され、第２連結係止部５３と第２連結本体部５２との間には、対向方向Ｘに遊び（隙間）がある状態で連結されている。これにより、第２連結係止部５３が、第２連結本体部５２に対して第２軸心ＡＸ２まわりに相対回転し易い構成となっている。但し、このような構成に限定されることなく、第１段差面５３ｅと第２段差面５３ｆとの対向する距離が、小径部５２ｄの対向方向Ｘの長さと一致するように形成されていてもよい。この場合でも、第２連結係止部５３が、第２連結本体部５２に対して第２軸心ＡＸ２まわりに相対回転可能であればよい。
【００４７】
〔間隔調整部〕
図３〜図５に示すように、本実施形態では、第１連結部３１及び第２連結部５１の少なくとも一方は、対向方向Ｘ視における第１係止部３０と第２係止部５０との間隔を調整する間隔調整部Ｓを有している。これにより、弦楽器Ｖの形状や幅、さらに、演奏者９０の肩９１に当接する位置を演奏者９０の好みに合せて、第１係止部３０と第２係止部５０とを、弦楽器Ｖを支持するための適切な位置に配置することができるようになっている。また本実施形態では、第１係止部３０と第２係止部５０とのうちの対象とする方を対象係止部４０として、間隔調整部Ｓは、本体部１０の対向面Ｆ２に形成されて本体部１０の延在方向に沿って延びる凹溝Ｓａと、対象係止部４０に連結されると共に凹溝Ｓａに収容されて当該凹溝Ｓａに沿って摺動する摺動体Ｓｂと、本体部１０に対する摺動体Ｓｂの位置を固定するロック機構Ｌと、を備えている。
【００４８】
本例では、第１係止部３０と第２係止部５０との双方が対象係止部４０であり、第１連結部３１及び第２連結部５１の双方が、間隔調整部Ｓを有している。具体的には、第１連結部３１が第１間隔調整部Ｓ１を有すると共に、第２連結部５１が第２間隔調整部Ｓ２を有している。そして、第１間隔調整部Ｓ１は、第１係止部３０（対象係止部４０）を第１延在方向Ｙ１に沿って移動させることにより、第１係止部３０と第２係止部５０との間隔を調整し、第２間隔調整部Ｓ２は、第２係止部５０（対象係止部４０）を第２延在方向Ｙ２に沿って移動させることにより、第１係止部３０と第２係止部５０との間隔を調整する。
【００４９】
図８に示すように、本実施形態では、第１間隔調整部Ｓ１は、第１本体部１１（本体部１０）の対向面Ｆ２に形成されて第１延在方向Ｙ１に沿って延びる第１凹溝Ｓａ１と、第１係止部３０（対象係止部４０）に連結されると共に第１凹溝Ｓａ１に収容されて当該第１凹溝Ｓａ１に沿って摺動する第１摺動体Ｓｂ１と、第１本体部１１（本体部１０）に対する第１摺動体Ｓｂ１の位置を固定する第１ロック機構Ｌ１と、を備えている。そして、第２間隔調整部Ｓ２は、第２本体部１２（本体部１０）の対向面Ｆ２に形成されて第２延在方向Ｙ２に沿って延びる第２凹溝Ｓａ２と、第２係止部５０（対象係止部４０）に連結されると共に第２凹溝Ｓａ２に収容されて当該第２凹溝Ｓａ２に沿って摺動する第２摺動体Ｓｂ２と、第２本体部１２（本体部１０）に対する第２摺動体Ｓｂ２の位置を固定する第２ロック機構Ｌ２と、を備えている。上記のように、第１間隔調整部Ｓ１と第２間隔調整部Ｓ２とは、移動させる対象と、その対象を移動させる方向とが異なるが、基本的な構成は同じである。以下では、第１間隔調整部Ｓ１について詳細に説明し、第２間隔調整部Ｓ２における第１間隔調整部Ｓ１と同様の構成については説明を省略する。
【００５０】
第１凹溝Ｓａ１は、対向面Ｆ２から当接面Ｆ１の側に向かって凹むと共に第１延在方向Ｙ１に沿って連続的に形成され（図４参照）、第１本体部１１における第１延在方向Ｙ１の外側（中間本体部１３とは反対側）の縁部まで延びて当該縁部に開口している（図８参照）。本実施形態では、第１本体部１１（本体部１０）は、その内部に空洞部を有しており、第１凹溝Ｓａ１は、第１本体部１１の内部の空洞部と一体的に形成されている。図８に示すように、弦楽器Ｖの側からの対向方向Ｘ視では、第１本体部１１の内部の空洞部は、当該第１本体部１１の対向側外枠部１０ｂによって覆われており、第１本体部１１の内部の空洞部と一体である第１凹溝Ｓａ１は、対向側外枠部１０ｂによって覆われていない。なお、図６及び図９等に示すように、第１本体部１１の内部の空洞部は、第１本体部１１における第１延在方向Ｙ１の外側（中間本体部１３とは反対側）の縁部まで延びて当該縁部に開口しており、第１本体部１１の外部と連通している。
【００５１】
第１摺動体Ｓｂ１は、第１本体部１１の内部の空洞部及び第１凹溝Ｓａ１の形状に対応した形状の部材である。本実施形態では、第１摺動体Ｓｂ１は、第１本体部１１における第１延在方向Ｙ１の外側（中間本体部１３とは反対側）の縁部から第１本体部１１の内部の空洞部に挿入され、第１延在方向Ｙ１に沿って延在するように配置された状態で、第１本体部１１に取り付けられる。図８及び図９に示すように、第１摺動体Ｓｂ１は、第１本体部１１の内部の空洞部に配置される部分と、第１本体部１１から第１延在方向Ｙ１の外側に突出する部分とを有する。第１摺動体Ｓｂ１は、第１本体部１１から第１延在方向Ｙ１の外側に突出する部分において、第１係止部３０（対象係止部４０）に連結されている。
【００５２】
図８及び図９に示すように、本実施形態では、第１摺動体Ｓｂ１（摺動体Ｓｂ，第２摺動体Ｓｂ２）は、対向方向Ｘにおける弦楽器Ｖの側を向く第１摺動面ＳＦ１（摺動面ＳＦ，第２摺動面ＳＦ２）を有している。第１摺動面ＳＦ１は、第１摺動体Ｓｂ１が第１本体部１１の内部の空洞部に配置された状態で、当該空洞部に配置されて、対向面Ｆ２よりも対向方向Ｘにおける当接面Ｆ１の側に配置される。
【００５３】
図４及び図８等に示すように、本実施形態では、第１摺動体Ｓｂ１（摺動体Ｓｂ，第２摺動体Ｓｂ２）は、第１摺動面ＳＦ１（摺動面ＳＦ，第２摺動面ＳＦ２）から対向方向Ｘにおける弦楽器Ｖの側に向かって突出する第１案内部Ｓｃ１（案内部Ｓｃ，第２案内部Ｓｃ２）を有している。第１案内部Ｓｃ１は、第１凹溝Ｓａ１の形状に対応した形状に形成され、第１凹溝Ｓａ１に沿って第１延在方向Ｙ１に延在するように配置されている。これにより、第１摺動体Ｓｂ１を第１凹溝Ｓａ１に沿って摺動させることが可能となっている。本実施形態では、第１摺動面ＳＦ１が第１本体部１１の内部の空洞に配置された状態で、当該第１摺動面ＳＦ１から突出する第１案内部Ｓｃ１が、対向面Ｆ２よりも対向方向Ｘにおける弦楽器Ｖの側には突出しないようになっている。換言すれば、第１案内部Ｓｃ１の突出端が、対向面Ｆ２よりも当接面Ｆ１の側に配置されるようになっている。これにより、対向面Ｆ２と弦楽器Ｖとを対向方向Ｘにおいて近づけるように両者の距離を調整する際に、第１案内部Ｓｃ１がその調整の妨げとならないようにすることができる。
【００５４】
〔ロック機構〕
ロック機構Ｌは、本体部１０に対する摺動体Ｓｂの位置を固定する。本実施形態では、ロック機構Ｌは、凹溝Ｓａに隣接して配置されると共に凹溝Ｓａに沿って並んで形成された複数の凹部Ｌａと、摺動体Ｓｂに設けられて複数の凹部Ｌａが設けられた側に向かって突出する形状に形成された突起部Ｌｂと、突起部Ｌｂを操作する操作部Ｌｃと、を有している。上述のように、本実施形態では、第１間隔調整部Ｓ１に第１ロック機構Ｌ１が備えられ、第２間隔調整部Ｓ２に第２ロック機構Ｌ２が備えられている。第１ロック機構Ｌ１は、第１本体部１１に対する第１摺動体Ｓｂ１の位置を固定し、第２ロック機構Ｌ２は、第２本体部１２に対する第２摺動体Ｓｂ２の位置を固定する。
【００５５】
図８に示すように、本実施形態では、第１ロック機構Ｌ１は、第１凹溝Ｓａ１に隣接して配置されると共に第１凹溝Ｓａ１に沿って並んで形成された複数の第１凹部Ｌａ１と、第１摺動体Ｓｂ１に設けられて複数の第１凹部Ｌａ１が設けられた側に向かって突出する形状に形成された第１突起部Ｌｂ１と、第１突起部Ｌｂ１を操作する第１操作部Ｌｃ１と、を有している。そして、第２ロック機構Ｌ２は、第２凹溝Ｓａ２に隣接して配置されると共に第２凹溝Ｓａ２に沿って並んで形成された複数の第２凹部Ｌａ２と、第２摺動体Ｓｂ２に設けられて複数の第２凹部Ｌａ２が設けられた側に向かって突出する形状に形成された第２突起部Ｌｂ２と、第２突起部Ｌｂ２を操作する第２操作部Ｌｃ２と、を有している。上記のように、第１ロック機構Ｌ１と第２ロック機構Ｌ２とは、固定する対象が異なるが、基本的な構成は同じである。以下では、第１ロック機構Ｌ１について詳細に説明し、第２ロック機構Ｌ２における第１ロック機構Ｌ１と同様の構成については説明を省略する。
【００５６】
図９に示すように、第１凹部Ｌａ１は、第１本体部１１の対向側外枠部１０ｂに設けられている。第１凹部Ｌａ１は、第１突起部Ｌｂ１が突出する方向に凹む形状に形成されている。これにより、第１凹部Ｌａ１に対して第１突起部Ｌｂ１が係合可能となっている。
本実施形態では、第１凹部Ｌａ１は、対向側外枠部１０ｂを対向方向Ｘに貫通するように形成されている。これにより、複数の第１凹部Ｌａ１のうちいずれに第１突起部Ｌｂ１が係合しているかについて、対向方向Ｘ視における弦楽器Ｖの側から視認可能となっている（図８等参照）。
【００５７】
図８に示すように、本実施形態では、複数の第１凹部Ｌａ１が、第１延在方向Ｙ１に沿って等間隔に並んで配置されている。図示の例では、６つの第１凹部Ｌａ１が並んで配置されている。第１突起部Ｌｂ１は、６つの第１凹部Ｌａ１のうちいずれかの第１凹部Ｌａ１に対して係合可能に構成されている。これにより、第１ロック機構Ｌ１は、６段階に亘って、本体部１０に対する第１摺動体Ｓｂ１の位置、ひいては、本体部１０に対する第１係止部３０（対象係止部４０）の位置を固定することができる。更に、図示の例では、第２ロック機構Ｌ２が有する第２凹部Ｌａ２については、９つの第２凹部Ｌａ２が、第２延在方向Ｙ２に並んで配置されている。これにより、第２ロック機構Ｌ２は、９段階に亘って、本体部１０に対する第２摺動体Ｓｂ２の位置、ひいては、本体部１０に対する第２係止部５０（対象係止部４０）の位置を固定することができる。従って、本実施形態では、第１ロック機構Ｌ１と第２ロック機構Ｌ２とによって、第１係止部３０と第２係止部５０との間における本体部１０の位置を、合計で５４段階（６段階×９段階）に亘って調節することが可能となっている。
【００５８】
第１突起部Ｌｂ１は、上述のように、第１摺動体Ｓｂ１に設けられており、本実施形態では、第１摺動体Ｓｂ１に１つの第１突起部Ｌｂ１が設けられている。第１突起部Ｌｂ１は、第１凹部Ｌａ１が凹む方向に突出するように形成されている。上述のように、本実施形態では、第１凹部Ｌａ１が対向側外枠部１０ｂを対向方向Ｘに貫通するように形成されているため、第１突起部Ｌｂ１は、第１摺動面ＳＦ１から対向方向Ｘにおける弦楽器Ｖの側に突出するように設けられている。そして、図９に示すように、第１突起部Ｌｂ１は、対向面Ｆ２よりも対向方向Ｘにおける弦楽器Ｖの側には突出しないように構成されている。換言すれば、第１突起部Ｌｂ１の突出端が、対向面Ｆ２よりも当接面Ｆ１の側に配置されるようになっている。これにより、対向面Ｆ２と弦楽器Ｖとを対向方向Ｘにおいて近づけるように両者の距離を調整する際に、第１突起部Ｌｂ１がその調整の妨げとならないようにすることができる。
【００５９】
第１操作部Ｌｃ１は、第１摺動体Ｓｂ１に設けられている。本実施形態では、第１操作部Ｌｃ１は、第１摺動体Ｓｂ１における第１凹溝Ｓａ１によって露出する部分に設けられている。換言すれば、第１操作部Ｌｃ１は、第１凹溝Ｓａ１の内部に配置されるように、第１摺動体Ｓｂ１に設けられている。そして、第１操作部Ｌｃ１は、第１摺動面ＳＦ１から対向方向Ｘにおける弦楽器Ｖの側に突出するように設けられている。本例では、第１操作部Ｌｃ１は、対向面Ｆ２よりも対向方向Ｘにおける弦楽器Ｖの側には突出しないように構成されている。換言すれば、第１操作部Ｌｃ１の突出端が、対向面Ｆ２よりも当接面Ｆ１の側に配置されるようになっている。これにより、対向面Ｆ２と弦楽器Ｖとを対向方向Ｘにおいて近づけるように両者の距離を調整する際に、第１操作部Ｌｃ１がその調整の妨げとならないようにすることができる。また、図８に示すように、第１操作部Ｌｃ１は、対向方向Ｘ視において第１延在方向Ｙ１と直交する方向に、第１突起部Ｌｂ１と並ぶように配置されている。そして、第１操作部Ｌｃ１と第１突起部Ｌｂ１とは、共に第１摺動面ＳＦ１に設けられている。これにより、第１操作部Ｌｃ１が当接面Ｆ１の側に指先で押圧されて操作されることによる対向方向Ｘの移動（揺動）動作を、第１突起部Ｌｂ１に効率的に伝達して第１突起部Ｌｂ１を対向方向Ｘに移動（揺動）させることができるようになっている。
【００６０】
〔ロック機構の動作〕
第１ロック機構Ｌ１は、第１操作部Ｌｃ１が操作されることにより、第１突起部Ｌｂ１を第１凹部Ｌａ１に対して移動させるように構成されている。ここでは、第１操作部Ｌｃ１（操作部Ｌｃ、第２操作部Ｌｃ２）が操作されることにより、第１突起部Ｌｂ１（突起部Ｌｂ、第２突起部Ｌｂ２）は、複数の第１凹部Ｌａ１（凹部Ｌａ、第２凹部Ｌａ２）のいずれかの内部に突出して当該第１凹部Ｌａ１（凹部Ｌａ、第２凹部Ｌａ２）に係合した突出状態と、第１凹部Ｌａ１（凹部Ｌａ、第２凹部Ｌａ２）から抜け出る位置まで引退した引退状態とに、状態変更するように構成されている。図９では、第１突起部Ｌｂ１の突出状態が実線で示されており、第１突起部Ｌｂ１の引退状態が仮想線で示されている。
【００６１】
そして、第１操作部Ｌｃ１（操作部Ｌｃ、第２操作部Ｌｃ２）が、当接面Ｆ１の側への指先での押圧が解除される形で操作されて第１突起部Ｌｂ１（突起部Ｌｂ、第２突起部Ｌｂ２）が突出状態となることで本体部１０に対する第１摺動体Ｓｂ１（摺動体Ｓｂ、第２摺動体Ｓｂ２）の位置が固定された固定状態となり、第１操作部Ｌｃ１（操作部Ｌｃ、第２操作部Ｌｃ２）が、当接面Ｆ１の側への指先での押圧により操作されて第１突起部Ｌｂ１（突起部Ｌｂ、第２突起部Ｌｂ２）が引退状態となることで本体部１０に対する第１摺動体Ｓｂ１（摺動体Ｓｂ、第２摺動体Ｓｂ２）の位置の固定が解除された固定解除状態となる。
【００６２】
本実施形態では、第１操作部Ｌｃ１は、対向方向Ｘにおける対向面Ｆ２の側から当接面Ｆ１の側に向かって押し操作されるように構成されている。そして、第１操作部Ｌｃ１が押し操作されることにより、第１摺動体Ｓｂ１が弾性変形し、第１突起部Ｌｂ１が突出状態から引退状態に状態変更される。また、第１突起部Ｌｂ１が複数の第１凹部Ｌａ１（凹部Ｌａ、第２凹部Ｌａ２）のいずれかに対応する位置にある状態で、第１操作部Ｌｃ１に対する押し操作が解除されることにより、第１摺動体Ｓｂ１の弾性力により、第１突起部Ｌｂ１が引退状態から突出状態に復帰する。
【００６３】
２．その他の実施形態
次に、肩当て装置のその他の実施形態について説明する。
【００６４】
（１）図１０に示すように、肩当て装置１００は、本体部１０に設けられ、索状体８０が係止される索状体係止部１４を更に備えていてもよい。図示の例では、索状体係止部１４は、本体部１０における演奏者９０の肩９１（図１参照）に近い側の縁部に形成されている。この索状体係止部１４に対して、索状体８０の一端が係止され、弦楽器Ｖの第３側縁部Ｖ３に対して、索状体８０の他端が係止される。第３側縁部Ｖ３は、弦楽器Ｖの本体の外縁部における、第１側縁部Ｖ１及び第２側縁部Ｖ２とは異なる部分である。なお、索状体８０としては、伸縮しない紐を好適に用いることができる。
【００６５】
（２）上記の実施形態では、図６に示すように、第１裏面３３ＲＦは、距離調整部Ｄによって対向方向Ｘにおける対向面Ｆ２と第１係止部３０との距離を最も短く調整した状態で、第１本体部１１（本体部１０）と接触しないように構成されている例について説明した。しかし、このような構成に限定されることなく、図１１に示すように、第１裏面３３ＲＦと第１本体部１１（本体部１０）とは、互いに接触可能に構成されていてもよい。すなわち、距離調整部Ｄによって対向方向Ｘにおける対向面Ｆ２（本体部１０）と第１係止部３０（第１裏面３３ＲＦ）との距離が最も短く調整された状態で、対向面Ｆ２（本体部１０）と第１連結係止部３３（第１裏面３３ＲＦ）とが、対向方向Ｘに接触するように構成されていてもよい。この構成によれば、演奏者９０の肩９１と弦楽器Ｖの裏板（底面）との間の距離を、より短く調整することが可能となる。
【００６６】
（３）上記の実施形態では、第２連結部５１は、対向面Ｆ２と第２係止部５０との対向方向Ｘの距離を一定に維持するように構成されている例について説明した。しかし、このような例に限定されることなく、第２連結部５１は、第１連結部３１と同様に、対向面Ｆ２と第２係止部５０との対向方向Ｘの距離を調整する距離調整部Ｄを有していてもよい。
【００６７】
（４）上記の実施形態では、距離調整部Ｄが、雌雄一対のねじ部Ｄａ，Ｄｂを有し、これら一対のねじ部Ｄａ，Ｄｂの相対回転により、対向面Ｆ２と第１係止部３０との対向方向Ｘの距離を調整する例について説明した。しかし、距離調整部Ｄの構成は、このようなものに限定されない。例えば、距離調整部Ｄは、上述した間隔調整部Ｓと同様に、第１係止部３０に連結され、案内部に沿って案内されて移動する被案内部と、当該案内部の位置を複数個所のいずれかに固定するロック機構とを備えた構成としてもよい。
【００６８】
（５）上記の実施形態では、第１連結部３１及び第２連結部５１の少なくとも一方が、対向方向Ｘ視における第１係止部３０と第２係止部５０との間隔を調整する間隔調整部Ｓを有する例について説明した。しかし、このような例に限定されることなく、第１連結部３１及び第２連結部５１の双方が、間隔調整部Ｓを有さず、第１係止部３０と第２係止部５０との間隔が一定に固定された構成であってもよい。
【００６９】
（６）上記の実施形態では、凹部Ｌａが、対向側外枠部１０ｂを対向方向Ｘに貫通するように形成され、この凹部Ｌａに係合可能である突起部Ｌｂが、摺動面ＳＦから対向方向Ｘにおける弦楽器Ｖの側に突出するように設けられている例について説明した。しかし、このような構成に限定されることなく、例えば、凹部Ｌａは、対向側外枠部１０ｂにおいて、凹溝Ｓａから対向面Ｆ２に沿う方向に凹むように形成されていてもよい。その場合、突起部Ｌｂは、当該凹部Ｌａが凹む方向に突出するように摺動体Ｓｂに設けられるとよい。
【００７０】
（７）第１係止部３０及び第２係止部５０は、発泡樹脂やゴム等の弾性部材により被覆されているとよい。これによれば、第１係止部３０及び第２係止部５０が弦楽器Ｖに係止されることによって、弦楽器Ｖが傷つくことを抑止することができる。
【００７１】
（８）本体部１０は、透明或いは半透明の部材により構成されていてもよい。これによれば、本体部１０の内部に設けられた間隔調整部Ｓやロック機構Ｌ等の機構を視認可能となり、意匠性を向上させることができる。同様に、第１係止部３０及び第２係止部５０、並びに、第１連結部３１及び第２連結部５１のいずれか一つ以上が透明或いは半透明の部材により構成されていてもよい。
【００７２】
（９）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【００７３】
３．上記実施形態の概要
以下、上記において説明した肩当て装置の概要について説明する。
【００７４】
本開示に係る肩当て装置は、
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記第１連結部は、前記対向面と前記第１係止部との前記対向方向の距離を調整する距離調整部を有し、
前記第１連結部は、前記本体部に連結された第１連結本体部と、前記第１係止部に連結された第１連結係止部と、を有し、
前記距離調整部は、前記第１連結本体部と前記第１連結係止部とを連結するように設けられていると共に、互いに螺合する雌雄一対のねじ部を有し、一対の前記ねじ部の相対回転によって前記第１連結本体部と前記第１連結係止部とを前記対向方向に相対移動させ、
前記距離調整部は、前記第１係止部が前記第１側縁部に係止された状態で、前記対向方向に沿う対向方向視で前記弦楽器と重複しない位置に配置されている。
【００７５】
本構成によれば、距離調整部によって本体部の対向面と第１係止部との対向方向の距離を調整することができるため、演奏者の肩と弦楽器の裏板との間の距離を適切に調整することができる。そして、距離調整部は、第１係止部が弦楽器の第１側縁部に係止された状態で、対向方向視で弦楽器と重複しない位置に配置されているため、演奏者の肩と弦楽器の裏板との間に挟まれる位置に距離調整部が配置されることはない。そのため、本構成によれば、従来の構成のように演奏者の肩と弦楽器の裏板との間に挟まれる位置に距離調整部が配置されている場合に比べて、演奏者の肩と弦楽器の裏板との間の距離を小さくする側の調整範囲の制限を少なくすることができる。従って、演奏者の肩と弦楽器の裏板との間の距離の調整範囲を広く確保することが可能となっている。
また、本構成によれば、第１連結本体部と連結する本体部の対向面と、第１連結係止部に連結する第１係止部との距離を、一対のねじ部を相対回転させることによって調整することができる。従って、演奏者の肩と弦楽器の裏板との間の距離を微調整することができる。
【００７６】
ここで、
前記距離調整部によって前記対向方向における前記対向面と前記第１係止部との距離が最も短く調整された状態で、前記対向面と前記第１連結係止部とが、前記対向方向に接触すると好適である。
【００７７】
本構成によれば、演奏者の肩と弦楽器の裏板との間の距離を、本体部の対向方向の厚みに近い程度まで小さくすることが可能な構成を実現できる。
【００７８】
また、本開示に係る肩当て装置は、
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記第１連結部は、前記対向面と前記第１係止部との前記対向方向の距離を調整する距離調整部を有し、
前記距離調整部は、前記第１係止部が前記第１側縁部に係止された状態で、前記対向方向に沿う対向方向視で前記弦楽器と重複しない位置に配置され、
前記第１連結部及び前記第２連結部の少なくとも一方は、前記対向方向視における前記第１係止部と前記第２係止部との間隔を調整する間隔調整部を有する。
【００７９】
本構成によれば、距離調整部によって本体部の対向面と第１係止部との対向方向の距離を調整することができるため、演奏者の肩と弦楽器の裏板との間の距離を適切に調整することができる。そして、距離調整部は、第１係止部が弦楽器の第１側縁部に係止された状態で、対向方向視で弦楽器と重複しない位置に配置されているため、演奏者の肩と弦楽器の裏板との間に挟まれる位置に距離調整部が配置されることはない。そのため、本構成によれば、従来の構成のように演奏者の肩と弦楽器の裏板との間に挟まれる位置に距離調整部が配置されている場合に比べて、演奏者の肩と弦楽器の裏板との間の距離を小さくする側の調整範囲の制限を少なくすることができる。従って、演奏者の肩と弦楽器の裏板との間の距離の調整範囲を広く確保することが可能となっている。
本構成によれば、対向方向視での弦楽器の形状や寸法、さらに、演奏者の肩に当接する位置を演奏者の好みに合せて、第１係止部と第２係止部との間隔を調節して弦楽器の所望の位置に第１係止部及び第２係止部を係止させることができる。これより、演奏者の好みに合せて、弦楽器に対する肩当て装置の位置を調節することができる。
【００８０】
また、
前記第１係止部と前記第２係止部とのうちの対象とする方を対象係止部として、
前記間隔調整部は、前記本体部の前記対向面に形成されて前記本体部の延在方向に沿って延びる凹溝と、前記対象係止部に連結されると共に前記凹溝に収容されて当該凹溝に沿って摺動する摺動体と、前記本体部に対する前記摺動体の位置を固定するロック機構と、を備えると好適である。
【００８１】
本構成によれば、摺動体を本体部の延在方向に沿って摺動させることができる。これにより、当該摺動体に連結する対象係止部を延在方向に沿って移動させることができ、その結果、第１係止部と第２係止部との間隔を、本体部の延在方向に調整することができる。
また、ロック機構によって摺動体の位置を固定することで、第１係止部と第２係止部との間隔が、例えば振動などにより、使用者の意図に反して変更されることを抑止できる。
【００８２】
また、
前記ロック機構は、前記凹溝に隣接して配置されると共に前記凹溝に沿って並んで形成された複数の凹部と、前記摺動体に設けられて複数の前記凹部が設けられた側に向かって突出する形状に形成された突起部と、前記突起部を操作する操作部と、を有し、
前記突起部は、複数の前記凹部のいずれかの内部に突出して当該凹部に係合した突出状態と、前記凹部から抜け出る位置まで引退した引退状態とに、状態変更するように構成され、
前記操作部が操作されて前記突起部が前記突出状態となることで前記本体部に対する前記摺動体の位置が固定された固定状態となり、前記操作部が操作されて前記突起部が前記引退状態となることで前記本体部に対する前記摺動体の位置の固定が解除された固定解除状態となると好適である。
【００８３】
本構成によれば、凹部に対する突起部の係合によって本体部に対する摺動体の位置が固定される。これにより、第１係止部と第２係止部との間隔を固定することができる。そして、本構成によれば、突起部が係合する対象について、凹溝に沿って並んで形成された複数の凹部のうちいずれかを選択できるため、第１係止部と第２係止部との間隔を、複数の凹部の数だけ、段階的に変更しつつ固定できる。また、対向面の凹溝に隣接して配置された凹部に、摺動体に設けられた突起部を係合させる構成としているので、これらが本体部の対向面から弦楽器側へ突出しない構成とすることが容易となっている。従って、演奏者の肩と弦楽器の裏板との間の距離を小さくする場合にロック機構がその妨げにならないようにすることが容易となっている。
【００８４】
また、本開示に係る肩当て装置は、
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記本体部に設けられ、索状体が係止される索状体係止部を更に備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記第１連結部は、前記対向面と前記第１係止部との前記対向方向の距離を調整する距離調整部を有し、
前記距離調整部は、前記第１係止部が前記第１側縁部に係止された状態で、前記対向方向に沿う対向方向視で前記弦楽器と重複しない位置に配置されている。
【００８５】
本構成によれば、距離調整部によって本体部の対向面と第１係止部との対向方向の距離を調整することができるため、演奏者の肩と弦楽器の裏板との間の距離を適切に調整することができる。そして、距離調整部は、第１係止部が弦楽器の第１側縁部に係止された状態で、対向方向視で弦楽器と重複しない位置に配置されているため、演奏者の肩と弦楽器の裏板との間に挟まれる位置に距離調整部が配置されることはない。そのため、本構成によれば、従来の構成のように演奏者の肩と弦楽器の裏板との間に挟まれる位置に距離調整部が配置されている場合に比べて、演奏者の肩と弦楽器の裏板との間の距離を小さくする側の調整範囲の制限を少なくすることができる。従って、演奏者の肩と弦楽器の裏板との間の距離の調整範囲を広く確保することが可能となっている。
また、本構成によれば、索状体を利用して、肩当て装置が弦楽器に対して外れ難い構成とすることができる。例えば、索状体における、索状体係止部に係止された部分とは異なる部分を弦楽器に係止させることで、第１係止部と第２係止部と索状体とによって肩当て装置を弦楽器の３箇所に係止することができる。これにより、肩当て装置を弦楽器から外れ難くすることができる。
【００８６】
また、本開示に係る肩当て装置は、
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記当接面の全体が前記対向方向において前記肩側に凸となる湾曲面状に形成され、
前記第１連結部は、前記対向面と前記第１係止部との前記対向方向の距離を調整する距離調整部を有し、
前記距離調整部は、前記第１係止部が前記第１側縁部に係止された状態で、前記対向方向に沿う対向方向視で前記弦楽器と重複しない位置に配置されている。
【００８７】
本構成によれば、距離調整部によって本体部の対向面と第１係止部との対向方向の距離を調整することができるため、演奏者の肩と弦楽器の裏板との間の距離を適切に調整することができる。そして、距離調整部は、第１係止部が弦楽器の第１側縁部に係止された状態で、対向方向視で弦楽器と重複しない位置に配置されているため、演奏者の肩と弦楽器の裏板との間に挟まれる位置に距離調整部が配置されることはない。そのため、本構成によれば、従来の構成のように演奏者の肩と弦楽器の裏板との間に挟まれる位置に距離調整部が配置されている場合に比べて、演奏者の肩と弦楽器の裏板との間の距離を小さくする側の調整範囲の制限を少なくすることができる。従って、演奏者の肩と弦楽器の裏板との間の距離の調整範囲を広く確保することが可能となっている。
また、本構成によれば、演奏者の肩に対して当接面の一部のみを当接させることができるため、演奏者の肩に対して、比較的自由に本体部を揺動させることが可能となる。これにより例えば、当接面の全体が対向方向視において肩の側に凹となる湾曲面状に形成されることにより当接面の全体が肩から上胸にかけて当接するように構成されている場合に比べて、肩当て装置に支持された弦楽器を、肩当て装置を装着しない状態で弦楽器を弾くのと同じように、左手によって行う肩に対する弦楽器の微妙な角度操作を容易に行うことができ、演奏者による弦楽器の操作性を向上させることができる。
【００８８】
また、本開示に係る肩当て装置は、
演奏者の肩に載せて使用される弦楽器に用いられる肩当て装置であって、
前記肩に当接する当接面、及び、前記当接面とは反対側を向き前記弦楽器に対向する対向面を有する本体部と、
前記弦楽器の第１側縁部に係止される第１係止部と、
前記弦楽器の第２側縁部に係止される第２係止部と、
前記第１係止部と前記本体部とを連結する第１連結部と、
前記第２係止部と前記本体部とを連結する第２連結部と、を備え、
前記第１側縁部と前記第２側縁部とは互いに反対側を向くと共に、前記第１側縁部は前記第２側縁部よりも前記演奏者の肩に近い側に位置し、
前記弦楽器と前記対向面とが対向する方向を対向方向として、
前記本体部は、前記対向方向に沿う対向方向視において前記肩から離れる側に凸となるアーチ状に形成され、
前記第１連結部は、前記対向面と前記第１係止部との前記対向方向の距離を調整する距離調整部を有し、
前記距離調整部は、前記第１係止部が前記第１側縁部に係止された状態で、前記対向方向視で前記弦楽器と重複しない位置に配置されている。
【００８９】
本構成によれば、距離調整部によって本体部の対向面と第１係止部との対向方向の距離を調整することができるため、演奏者の肩と弦楽器の裏板との間の距離を適切に調整することができる。そして、距離調整部は、第１係止部が弦楽器の第１側縁部に係止された状態で、対向方向視で弦楽器と重複しない位置に配置されているため、演奏者の肩と弦楽器の裏板との間に挟まれる位置に距離調整部が配置されることはない。そのため、本構成によれば、従来の構成のように演奏者の肩と弦楽器の裏板との間に挟まれる位置に距離調整部が配置されている場合に比べて、演奏者の肩と弦楽器の裏板との間の距離を小さくする側の調整範囲の制限を少なくすることができる。従って、演奏者の肩と弦楽器の裏板との間の距離の調整範囲を広く確保することが可能となっている。
また、本構成によれば、本体部を演奏者の肩周辺の形状に適合した形状とすることができる。
【００９０】
ここで、
前記第２連結部は、前記対向面と前記第２係止部との前記対向方向の距離を一定に維持するように構成されていると好適である。
【００９１】
第１係止部及び第２係止部のうち演奏者の肩に近い側において、対向面との対向方向の距離を調整できれば、演奏者の肩と弦楽器の裏板との間の距離の調整を必要な範囲で行うことができる。本構成によれば、第１連結部が有する距離調整部によって演奏者の肩と弦楽器の裏板との間の距離を調整することができる構成としつつ、第２連結部については、対向面と第２係止部との対向方向の距離を一定に維持する構成として、第２連結部の構成の簡略化を図ることができる。従って、本構成によれば、演奏者の肩と弦楽器の裏板との間の距離を調整可能な構成を備えつつ、装置全体として構成を簡略化することができる。
【産業上の利用可能性】
【００９２】
本開示に係る技術は、弦楽器の裏板の外縁部に装着（係止）して演奏者の肩に載せて使用される弦楽器用の肩当て装置に利用することができる。
【符号の説明】
【００９３】
１００    ：肩当て装置
１０      ：本体部
１４      ：索状体係止部
３０      ：第１係止部
３１      ：第１連結部
３２      ：第１連結本体部
３２ｃ    ：雄ねじ部
３３      ：第１連結係止部
４０      ：対象係止部
５０      ：第２係止部
５１      ：第２連結部
５２      ：第２連結本体部
５３      ：第２連結係止部
８０      ：索状体
９０      ：演奏者
９１      ：肩
９２      ：首
Ｄ        ：距離調整部
Ｄａ      ：ねじ部
Ｄｂ      ：ねじ部
Ｆ１      ：当接面
Ｆ２      ：対向面
Ｌ        ：ロック機構
Ｌ１      ：第１ロック機構
Ｌ２      ：第２ロック機構
Ｌａ      ：凹部
Ｌａ１    ：第１凹部
Ｌａ２    ：第２凹部
Ｌｂ      ：突起部
Ｌｂ１    ：第１突起部
Ｌｂ２    ：第２突起部
Ｌｃ      ：操作部
Ｌｃ１    ：第１操作部
Ｌｃ２    ：第２操作部
Ｓ        ：間隔調整部
Ｓ１      ：第１間隔調整部
Ｓ２      ：第２間隔調整部
Ｓａ      ：凹溝
Ｓａ１    ：第１凹溝
Ｓａ２    ：第２凹溝
Ｓｂ      ：摺動体
Ｓｂ１    ：第１摺動体
Ｓｂ２    ：第２摺動体
Ｖ        ：弦楽器
Ｖ１      ：第１側縁部
Ｖ２      ：第２側縁部
Ｘ        ：対向方向
Ｙ１      ：第１延在方向
Ｙ２      ：第２延在方向